(57)【要約】【課題】目的地が利用可能であるか否かを容易に確認することができなかった。【解決手段】情報処理端末１０は、目的地指定情報受付部１００が受け付けた目的地指定情報をサーバ装置２０に送信する送信部１０２と、受信部１０３が受信した目的地に関連する地点が利用可能か否かに関する利用情報を出力する出力部１０４とを備え、サーバ装置２０は、地点を示す地点情報と、地点の時間に関する地点時間情報とを有する地点関連情報が格納される地点関連情報格納部２０３から、情報処理端末１０から受信した目的地指定情報に対応する目的地に関連する地点情報に対応する地点時間情報を取得する地点時間情報取得部２０４と、時刻情報と取得した地点時間情報とを用いて、地点関連情報が有する地点情報が示す地点が利用可能であるか判断し利用情報を取得する利用情報取得部２０６と、利用情報を情報処理端末１０に送信するサーバ送信部２０９とを備えた。【選択図】図１
2015152985.tif 000002
【特許請求の範囲】
【請求項１】
情報処理端末と、サーバ装置とを備えた情報処理システムであって、
前記情報処理端末は、
目的地を指定する情報である目的地指定情報を受け付ける目的地指定情報受付部と、
前記目的地指定情報を前記サーバ装置に送信する送信部と、
前記目的地指定情報に応じて前記サーバ装置から送信される情報であって、当該目的地指定情報に対応する目的地に関連する１以上の地点についての、当該地点が利用可能であるか否かに関する情報である利用情報を受信する受信部と、
前記受信部が受信した利用情報を出力する出力部とを備え、
前記サーバ装置は、
前記情報処理端末から前記目的地指定情報を受信するサーバ受信部と、
地点を示す情報である地点情報と、当該地点情報が示す情報が示す地点についての時間に関する情報である地点時間情報とを有する１以上の地点関連情報が格納される地点関連情報格納部と、
前記サーバ受信部が受信した目的地指定情報に対応する目的地に関連する地点情報を有する地点関連情報が有する地点時間情報を、前記地点関連情報格納部から取得する地点時間情報取得部と、
時刻を示す情報である時刻情報を取得する時刻情報取得部と、
前記時刻情報取得部が取得した時刻情報と、前記地点時間情報取得部が取得した地点時間情報とを用いて、当該地点時間情報に対応する地点情報が示す地点が利用可能であるか否かを判断して、当該地点についての利用情報を取得する利用情報取得部と、
前記利用情報取得部が取得した利用情報を前記情報処理端末に送信するサーバ送信部とを備えた情報処理システム。
【請求項２】
前記情報処理システムは、情報入力装置を更に備え、
前記情報入力装置は、
地点情報に関連した動的に変化する情報である動的情報を有する情報である地点動的情報を受け付ける地点動的情報受付部と、
前記地点動的情報受付部が受け付けた地点動的情報を、前記サーバ装置に送信する地点動的情報送信部と、を更に備え、
前記サーバ装置は、
前記情報入力装置から前記地点動的情報を受信するサーバ動的受信部と、
前記サーバ動的受信部が受信した前記地点動的情報を、当該地点動的情報と同じ地点情報に対応する利用情報を送信した情報処理端末に送信するサーバ動的送信部と、を更に備え、
前記情報処理端末は、
前記サーバ装置から地点動的情報を受信する動的受信部と、
前記動的受信部が受信した前記地点動的情報を出力する動的出力部とを更に備えた請求項１記載の情報処理システム。
【請求項３】
前記サーバ動的送信部は、前記サーバ受信部が、前記地点動的情報を受信した場合に、当該地点動的情報を、当該地点動的情報と同じ地点情報に対応する利用情報を送信した情報処理端末にプッシュ送信する請求項２記載の情報処理システム。
【請求項４】
前記情報処理端末は、
予め指定された動作が行われたタイミングで、前記サーバ装置に地点動的情報の送信を要求する情報である送信要求情報を送信する要求送信部を、更に備え、
前記サーバ装置は、
前記情報処理端末から送信要求情報を受信する要求受信部を、更に備え、
前記サーバ動的送信部は、前記送信要求情報を受信した場合に、当該送信要求情報を送信した情報処理端末に対し、当該情報処理端末に送信した前記利用情報と同じ地点情報に対応する地点動的情報を送信する請求項２記載の情報処理システム。
【請求項５】
前記時刻情報取得部は、前記目的地指定情報が示す目的地への到着予測時刻を示す情報を、前記時刻情報として取得し、
前記利用情報取得部は、前記地点関連情報が有する地点情報が示す地点が、前記到着予測時刻において利用可能であるか否かを判断して、利用情報を取得する請求項１から請求項４いずれか一項記載の情報処理システム。
【請求項６】
前記地点時間情報取得部は、前記目的地指定情報に対応する目的地の地点情報を有する地点関連情報が有する地点時間情報を、前記地点関連情報格納部から取得する請求項１から請求項５いずれか一項記載の情報処理システム。
【請求項７】
前記地点時間情報取得部は、前記目的地指定情報に対応する目的地の周辺の地点情報を有する地点関連情報が有する地点時間情報を、前記地点関連情報格納部から取得する請求項１から請求項５いずれか一項記載の情報処理システム。
【請求項８】
前記サーバ装置は、
前記情報処理端末の現在位置から前記目的地指定情報が示す目的地までの経路を示す情報である経路情報を取得する経路情報取得部を更に備え、
前記地点時間情報取得部は、前記目的地指定情報に対応する目的地に関連する地点情報を有する地点関連情報が有する地点時間情報として、前記経路情報取得部が取得した経路情報が示す経路の周辺の地点情報を有する地点関連情報が有する地点時間情報を、前記地点関連情報格納部から取得する請求項１から請求項５いずれか一項記載の情報処理システム。
【請求項９】
前記予め指定された動作は、目的地を設定する動作である請求項４記載の情報処理システム。
【請求項１０】
前記予め指定された動作は、情報処理端末を起動する動作である請求項４記載の情報処理システム。
【請求項１１】
情報処理端末から目的地を指定する情報である目的地指定情報を受信するサーバ受信部と、
地点を示す情報である地点情報と、当該地点情報が示す情報が示す地点についての時間に関する情報である地点時間情報とを有する１以上の地点関連情報が格納される地点関連情報格納部と、
前記サーバ受信部が受信した目的地指定情報に対応する目的地に関連する地点情報を有する地点関連情報が有する地点時間情報を、前記地点関連情報格納部から取得する地点時間情報取得部と、
時刻を示す情報である時刻情報を取得する時刻情報取得部と、
前記時刻情報取得部が取得した時刻情報と、前記地点時間情報取得部が取得した地点関連情報が有する地点時間情報とを用いて、当該地点時間情報に対応する地点情報が示す地点が利用可能であるか否かを判断して、当該地点についての利用可能であるか否かに関する情報である利用情報を取得する利用情報取得部と、
前記利用情報取得部が取得した利用情報を前記情報処理端末に送信するサーバ送信部とを備えたサーバ装置。
【請求項１２】
目的地を指定する情報である目的地指定情報を受け付ける目的地指定情報受付部と、
地点を示す情報である地点情報と、当該地点情報が示す情報が示す地点についての時間に関する情報である地点時間情報とを有する１以上の地点関連情報が格納される地点関連情報格納部と、
前記目的地指定情報受付部が受け付けた目的地指定情報に対応する目的地に関連する地点情報を有する地点関連情報が有する地点時間情報を、前記地点関連情報格納部から取得する地点時間情報取得部と、
時刻を示す情報である時刻情報を取得する時刻情報取得部と、
前記時刻情報取得部が取得した時刻情報と、前記地点時間情報取得部が取得した地点時間情報とを用いて、当該地点時間情報に対応する地点情報が示す地点が利用可能であるか否かを判断して、当該地点についての利用可能であるか否かに関する情報である利用情報を取得する利用情報取得部と、
前記利用情報取得部が取得した利用情報を出力する出力部とを備えた情報処理端末。
【請求項１３】
サーバ受信部と、地点を示す情報である地点情報と、当該地点情報が示す情報が示す地点についての時間に関する情報である地点時間情報とを有する１以上の地点関連情報が格納される地点関連情報格納部と、地点時間情報取得部と、時刻情報取得部と、利用情報取得部と、サーバ送信部とを用いて行われる情報処理方法であって、
前記サーバ受信部が、情報処理端末から目的地を指定する情報である目的地指定情報を受信するサーバ受信ステップと、
前記地点時間情報取得部が、前記サーバ受信ステップで受信した目的地指定情報に対応する目的地に関連する地点情報を有する地点関連情報が有する地点時間情報を、前記地点関連情報格納部から取得する地点時間情報取得ステップと、
前記時刻情報取得部が、時刻を示す情報である時刻情報を取得する時刻情報取得ステップと、
前記利用情報取得部が、前記時刻情報取得ステップで取得した時刻情報と、前記地点時間情報取得ステップで取得した地点時間情報とを用いて、当該地点時間情報に対応する地点情報が示す地点が利用可能であるか否かを判断して、当該地点についての利用情報を取得する利用情報取得ステップと、
前記サーバ送信部が、前記利用情報取得ステップで取得した利用情報を前記情報処理端末に送信するサーバ送信ステップとを備えた情報処理方法。
【請求項１４】
目的地指定情報受付部と、地点を示す情報である地点情報と、当該地点情報が示す情報が示す地点についての時間に関する情報である地点時間情報とを有する１以上の地点関連情報が格納される地点関連情報格納部と、地点時間情報取得部と、時刻情報取得部と、利用情報取得部と、出力部と、を用いて行われる情報処理方法であって、
前記目的地指定情報受付部が、目的地を指定する情報である目的地指定情報を受け付ける目的地指定情報受付ステップと、
前記地点時間情報取得部が、前記目的地指定情報受付ステップで受け付けた目的地指定情報に対応する目的地に関連する地点情報を有する地点関連情報が有する地点時間情報を、前記地点関連情報格納部から取得する地点時間情報取得ステップと、
前記時刻情報取得部が、時刻を示す情報である時刻情報を取得する時刻情報取得ステップと、
前記利用情報取得部が、前記時刻情報取得ステップで取得した時刻情報と、前記地点時間情報取得ステップで取得した地点時間情報とを用いて、当該地点時間情報に対応する地点情報が示す地点が利用可能であるか否かを判断して、当該地点についての利用可能であるか否かに関する情報である利用情報を取得する利用情報取得ステップと、
前記出力部が、前記利用情報取得ステップで取得した利用情報を出力する出力ステップとを備えた情報処理方法。
【請求項１５】
地点を示す情報である地点情報と、当該地点情報が示す情報が示す地点についての時間に関する情報である地点時間情報とを有する１以上の地点関連情報が格納される地点関連情報格納部にアクセス可能なコンピュータを、
情報処理端末から目的地を指定する情報である目的地指定情報を受信するサーバ受信部と、
前記サーバ受信部が受信した目的地指定情報に対応する目的地に関連する地点情報を有する地点関連情報が有する地点時間情報を、前記地点関連情報格納部から取得する地点時間情報取得部と、
時刻を示す情報である時刻情報を取得する時刻情報取得部と、
前記時刻情報取得部が取得した時刻情報と、前記地点時間情報取得部が取得した地点時間情報とを用いて、当該地点時間情報に対応する地点情報が示す地点が利用可能であるか否かを判断して、当該地点についての利用可能であるか否かに関する情報である利用情報を取得する利用情報取得部と、
前記利用情報取得部が取得した利用情報を前記情報処理端末に送信するサーバ送信部として機能させるためのプログラム。
【請求項１６】
地点を示す情報である地点情報と、当該地点情報が示す情報が示す地点についての時間に関する情報である地点時間情報とを有する１以上の地点関連情報が格納される地点関連情報格納部にアクセス可能なコンピュータを、
目的地を指定する情報である目的地指定情報を受け付ける目的地指定情報受付部と、
前記目的地指定情報受付部が受け付けた目的地指定情報に対応する目的地に関連する地点情報を有する地点関連情報が有する地点時間情報を、前記地点関連情報格納部から取得する地点時間情報取得部と、
時刻を示す情報である時刻情報を取得する時刻情報取得部と、
前記時刻情報取得部が取得した時刻情報と、前記地点時間情報取得部が取得した地点時間情報とを用いて、当該地点時間情報に対応する地点情報が示す地点が利用可能であるか否かを判断して、当該地点についての利用可能であるか否かに関する情報である利用情報を取得する利用情報取得部と、
前記利用情報取得部が取得した利用情報を出力する出力部として機能させるためのプログラム。
【発明の詳細な説明】
【技術分野】
【０００１】
本発明は、目的地に関連する地点についての情報を出力するシステム等に関するものである。
【背景技術】
【０００２】
従来の技術として、利用者の現在位置情報を取得し、取得された現在位置情報に基づいて利用者の移動手段を判別し、判別された移動手段に基づいて当該移動手段ごとの所定の検索範囲を設定し、設定された検索範囲内に存在する店舗を位置情報に基づいて検索し、検索された店舗が広告配信店舗に対応する場合、当該店舗の広告情報を取得し、取得された広告情報の少なくとも一部を、出力部を介して出力するものが知られていた（例えば、特許文献１参照）。
【先行技術文献】
【特許文献】
【０００３】
【特許文献１】特開２０１２−７８３０５号公報（第１頁、第１図等）
【発明の概要】
【発明が解決しようとする課題】
【０００４】
しかしながら、従来の技術においては、目的地に関連する地点が利用可能であるか否かを容易に確認することができないという課題があった。
【０００５】
例えば、従来の技術においては、ユーザ等が目的地として指定した地点や、この目的地に関連する地点である店舗等が利用可能であるか否かを知るためには、その目的地の情報を取得して利用可能な営業時間や定休日等を確認したり、目的地に電話等をかけて確認する必要があり、利用可能であるか否かを容易に確認することができなかった。
【０００６】
本発明は、上記のような課題を解消するためになされたものであり、目的地に関連する地点が利用可能であるか否かを容易に確認できる情報処理システム等を提供することを目的とする。
【課題を解決するための手段】
【０００７】
本発明の情報処理システムは、情報処理端末と、サーバ装置とを備えた情報処理システムであって、情報処理端末は、目的地を指定する情報である目的地指定情報を受け付ける目的地指定情報受付部と、目的地指定情報をサーバ装置に送信する送信部と、目的地指定情報に応じてサーバ装置から送信される情報であって、目的地指定情報に対応する目的地に関連する１以上の地点についての、地点が利用可能であるか否かに関する情報である利用情報を受信する受信部と、受信部が受信した利用情報を出力する出力部とを備え、サーバ装置は、情報処理端末から目的地指定情報を受信するサーバ受信部と、地点を示す情報である地点情報と、地点情報が示す情報が示す地点についての時間に関する情報である地点時間情報とを有する１以上の地点関連情報が格納される地点関連情報格納部と、サーバ受信部が受信した目的地指定情報に対応する目的地に関連する地点情報を有する地点関連情報が有する地点時間情報を、地点関連情報格納部から取得する地点時間情報取得部と、時刻を示す情報である時刻情報を取得する時刻情報取得部と、時刻情報取得部が取得した時刻情報と、地点時間情報取得部が取得した地点時間情報とを用いて、地点時間情報に対応する地点情報が示す地点が利用可能であるか否かを判断して、地点についての利用情報を取得する利用情報取得部と、利用情報取得部が取得した利用情報を情報処理端末に送信するサーバ送信部とを備えた情報処理システムである。
【０００８】
かかる構成により、地点時間情報を用いて、目的地に関連する地点が利用可能であるか否かを示す利用情報を取得して出力することができ、目的地に関連する地点が利用可能であるか否かを容易に確認することができる。
【０００９】
また、本発明の情報処理システムは、前記情報処理システムにおいて、情報処理システムは、情報入力装置を更に備え、情報入力装置は、地点情報に関連した動的に変化する情報である動的情報とを有する情報である地点動的情報を受け付ける地点動的情報受付部と、地点動的情報受付部が受け付けた地点動的情報を、サーバ装置に送信する地点動的情報送信部と、を更に備え、サーバ装置は、情報入力装置から地点動的情報を受信するサーバ動的受信部と、サーバ動的受信部が受信した地点動的情報を、地点動的情報と同じ地点情報に対応する利用情報を送信した情報処理端末に送信するサーバ動的送信部と、を更に備え、情報処理端末は、サーバ装置から地点動的情報を受信する動的受信部と、動的受信部が受信した地点動的情報を出力する動的出力部とを更に備えた情報処理システムである。
【００１０】
かかる構成により、目的地に関連した地点において動的に得られる情報を出力することができ、例えば、目的地に関連した地点の現在の状況等を適切に把握することが可能となる。
【００１１】
また、本発明の情報処理システムは、前記情報処理システムにおいて、サーバ動的送信部は、サーバ受信部が、地点動的情報を受信した場合に、地点動的情報を、地点動的情報と同じ地点情報に対応する利用情報を送信した情報処理端末にプッシュ送信する情報処理システムである。
【００１２】
かかる構成により、目的地に関連した地点において動的に得られる情報を、適切に取得することができる。
【００１３】
また、本発明の情報処理システムは、前記情報処理システムにおいて、情報処理端末は、予め指定された動作が行われたタイミングで、サーバ装置に地点動的情報の送信を要求する情報である送信要求情報を送信する要求送信部を、更に備え、サーバ装置は、情報処理端末から送信要求情報を受信する要求受信部を、更に備え、サーバ動的送信部は、送信要求情報を受信した場合に、送信要求情報を送信した情報処理端末に対し、情報処理端末に送信した利用情報と同じ地点情報に対応する地点動的情報を送信する情報処理システムである。
【００１４】
かかる構成により、目的地に関連した地点において動的に得られる情報を、情報処理端末側のタイミングによって取得することができる。
【００１５】
また、本発明の情報処理システムは、前記情報処理システムにおいて、時刻情報取得部は、目的地指定情報が示す目的地への到着予測時刻を示す情報を、時刻情報として取得し、利用情報取得部は、地点関連情報が有する地点情報が示す地点が、到着予測時刻において利用可能であるか否かを判断して、利用情報を取得する情報処理システムである。
【００１６】
かかる構成により、目的地に到着すると予測される時刻に、目的地に関連する地点が利用可能であるか否かを容易に確認することができる。
【００１７】
また、本発明の情報処理システムは、前記情報処理システムにおいて、地点時間情報取得部は、目的地指定情報に対応する目的地の地点情報を有する地点関連情報が有する地点時間情報を、地点関連情報格納部から取得する情報処理システムである。
【００１８】
かかる構成により、目的地が利用可能であるか否かを容易に確認することができる。
【００１９】
また、本発明の情報処理システムは、前記情報処理システムにおいて、地点時間情報取得部は、目的地指定情報に対応する目的地の周辺の地点情報を有する地点関連情報が有する地点時間情報を、地点関連情報格納部から取得する情報処理システムである。
【００２０】
かかる構成により、目的地の周辺の地点が利用可能であるか否かを容易に確認することができる。
【００２１】
また、本発明の情報処理システムは、前記情報処理システムにおいて、サーバ装置は、情報処理端末の現在位置から目的地指定情報が示す目的地までの経路を示す情報である経路情報を取得する経路情報取得部を更に備え、地点時間情報取得部は、目的地指定情報に対応する目的地に関連する地点情報を有する地点関連情報が有する地点時間情報として、経路情報取得部が取得した経路情報が示す経路の周辺の地点情報を有する地点関連情報が有する地点時間情報を、地点関連情報格納部から取得する情報処理システムである。
【００２２】
かかる構成により、目的地までの経路周辺の地点が利用可能であるか否かを容易に確認することができる。
【００２３】
また、本発明の情報処理システムは、前記情報処理システムにおいて、予め指定された動作は、目的地を設定する動作である情報処理システムである。
【００２４】
かかる構成により、目的地を設定する際に、以前に指定した目的地について動的に得られる情報を取得することができる。
【００２５】
また、本発明の情報処理システムは、前記情報処理システムにおいて、予め指定された動作は、情報処理端末を起動する動作である情報処理システムである。
【００２６】
かかる構成により、目的地に関連する地点について動的に得られる情報を、情報処理端末の起動時に確認することができる。
【００２７】
本発明のサーバ装置は、情報処理端末から目的地を指定する情報である目的地指定情報を受信するサーバ受信部と、地点を示す情報である地点情報と、地点情報が示す情報が示す地点についての時間に関する情報である地点時間情報とを有する１以上の地点関連情報が格納される地点関連情報格納部と、サーバ受信部が受信した目的地指定情報に対応する目的地に関連する地点情報を有する地点関連情報が有する地点時間情報を、地点関連情報格納部から取得する地点時間情報取得部と、時刻を示す情報である時刻情報を取得する時刻情報取得部と、時刻情報取得部が取得した時刻情報と、地点時間情報取得部が取得した地点関連情報が有する地点時間情報とを用いて、地点時間情報に対応する地点情報が示す地点が利用可能であるか否かを判断して、地点についての利用可能であるか否かに関する情報である利用情報を取得する利用情報取得部と、利用情報取得部が取得した利用情報を情報処理端末に送信するサーバ送信部とを備えたサーバ装置である。
【００２８】
かかる構成により、目的地に関連する地点が利用可能であるか否かを容易に確認することができる。
【００２９】
本発明の情報処理端末は、目的地を指定する情報である目的地指定情報を受け付ける目的地指定情報受付部と、地点を示す情報である地点情報と、地点情報が示す情報が示す地点についての時間に関する情報である地点時間情報とを有する１以上の地点関連情報が格納される地点関連情報格納部と、目的地指定情報受付部が受け付けた目的地指定情報に対応する目的地に関連する地点情報を有する地点関連情報が有する地点時間情報を、地点関連情報格納部から取得する地点時間情報取得部と、時刻を示す情報である時刻情報を取得する時刻情報取得部と、時刻情報取得部が取得した時刻情報と、地点時間情報取得部が取得した地点時間情報とを用いて、地点時間情報に対応する地点情報が示す地点が利用可能であるか否かを判断して、地点についての利用可能であるか否かに関する情報である利用情報を取得する利用情報取得部と、利用情報取得部が取得した利用情報を出力する出力部とを備えた情報処理端末である。
【００３０】
かかる構成により、目的地に関連する地点が利用可能であるか否かを、サーバ装置を利用することなく容易に確認することができる。
【発明の効果】
【００３１】
本発明による情報処理システム等によれば、目的地に関連する地点が利用可能であるか否かを容易に確認することができる。
【図面の簡単な説明】
【００３２】
【図１】本発明の実施の形態１における情報処理システムのブロック図
【図２】同情報処理システムの情報処理端末の動作について説明するフローチャート
【図３】同情報処理システムのサーバ装置の動作について説明するフローチャート
【図４】同情報処理システムの概念図
【図５】同情報処理システムの地点関連情報管理表を示す図
【図６】同情報処理システムの利用情報の表示例を示す図
【図７】同情報処理システムの端末特定情報管理表を示す図
【図８】同情報処理システムの地点動的情報の表示例を示す図
【図９】本発明の実施の形態２における情報処理システムのブロック図
【図１０】本発明の実施の形態３における情報処理システムのブロック図
【図１１】同情報処理システムの地点送信先情報管理表を示す図
【図１２】上記実施の形態におけるコンピュータシステムの外観の一例を示す図
【図１３】同コンピュータシステムの構成の一例を示す図
【発明を実施するための形態】
【００３３】
以下、情報処理システム等の実施形態について図面を参照して説明する。なお、実施の形態において同じ符号を付した構成要素は同様の動作を行うので、再度の説明を省略する場合がある。
【００３４】
（実施の形態１）
図１は、本実施の形態における情報処理システム１のブロック図である。
【００３５】
情報処理システム１は、１または２以上の情報処理端末１０と、サーバ装置２０と、１または２以上の情報入力装置３０とを備える。なお、図１においては、説明の便宜上、情報処理端末１０と情報入力装置３０とがそれぞれ一つである場合を図示しているが、これらはそれぞれが複数であっても良い。
【００３６】
情報処理端末１０は、目的地指定情報受付部１００、現在位置取得部１０１、送信部１０２、受信部１０３、出力部１０４、動的受信部１０５、動的出力部１０６を備える。
【００３７】
サーバ装置２０は、サーバ受信部２０１、経路情報取得部２０２、地点関連情報格納部２０３、地点時間情報取得部２０４、時刻情報取得部２０５、利用情報取得部２０６、端末特定情報格納部２０７、端末特定情報蓄積部２０８、サーバ送信部２０９、サーバ動的受信部２１０、サーバ動的送信部２１１を備える。
【００３８】
情報入力装置３０は、地点動的情報受付部３０１、地点動的情報送信部３０２を備える。
【００３９】
情報処理端末１０とサーバ装置２０、及びサーバ装置２０と情報入力装置３０は、例えば、無線ＬＡＮ等の無線ネットワークや、Ｂｌｕｅｔｏｏｔｈ（登録商標）等の無線通信等により、情報の送受信が可能となるよう接続されている。ただし、これらは、ＷＡＮやＬＡＮ等の有線通信等で接続されていても良い。
【００４０】
情報処理端末１０は、例えば、携帯情報端末や、タブレット型端末、携帯電話、いわゆるスマートフォン等の多機能携帯電話等の移動体通信機器や、車載用ナビゲーション装置や、歩行者用ナビゲーション装置等のナビゲーション装置や、通信機能を有する携帯ゲーム機や携帯音楽プレーヤ、コンピュータ等である。情報処理端末１０は、可搬性を有するものであることが好ましい。
【００４１】
目的地指定情報受付部１００は、目的地指定情報を受け付ける。目的地指定情報は、目的地を指定する情報である。目的地指定情報は、例えば、情報処理端末１０やサーバ装置２０に対して目的地を指定するために用いられる情報である。目的地とは、例えば、移動先となる場所である。目的地とは、例えば、移動先となる地点であってもよい。地点とは、例えば、ランドマークや、建造物や、建築物等である。地点は、具体的には、例えば、寺社仏閣や記念碑等の観光名所や、病院等の医療施設や映画館等の娯楽施設や市役所等の公共施設等の施設、商品やサービス等を販売する店舗や、飲食物を提供する飲食店等である。また、目的地は、移動先となる地域であっても良い。目的地とは、例えば、ユーザが移動する際や移動を検討する際の目的地である。目的地は、例えば、情報処理端末１０において経路探索を行う際に利用される目的地であっても良い。かかることは、以下においても同様である。
【００４２】
目的地指定情報は、結果的に目的地を指定することが可能な情報であればどのような情報であっても良い。目的地指定情報は、例えば、目的地となる場所や地点を結果的に指定することが可能な情報である。目的地指定情報は、目的地の位置情報や、目的地の住所や、目的地の電話番号や、目的地のメールアドレス、目的地のＵＲＬ、目的地の名称、目的地の識別子等を示す情報等である。目的地の位置情報は、例えば、目的地の緯度と経度との組みあわせ等で示される座標や、目的地の地図上の位置を示す座標等である。目的地の名称を示す情報は、例えば、目的地のランドマーク名や、建造物名、店舗名、会社名、病院名等でる。目的地の名称は正式名称であっても良いし、正式名称の一部や、俗称等の正式名称以外であってもよい。目的地の識別子は、例えば、目的地に割り当てられたコード等である。また、目的地指定情報は、後述する地点情報であってもよい。また、目的地が地域である場合、目的地指定情報は、目的地となる地域を識別する情報であっても良い。地域を識別する情報は、例えば、地域名や、住所や、地区名や、市町村名や、予め地図等に設定されたエリア名やエリアコード等である。目的地指定情報は、例えば、テキストや数字等で構成される情報である。また、目的地指定情報は、上記のような情報を２以上有する情報であっても良い。例えば、目的地指定情報は、目的地の位置情報と目的地の名称を示す情報とを有する情報であっても良い。
【００４３】
目的地指定情報受付部１００がどのように目的地指定情報を受け付けるかは問わない。目的地指定情報受付部１００は、例えば、ユーザ等によりキーボードや、音声入力等により入力される目的地指定情報を受け付けてもよい。ここでのキーボードは、タッチパネル上に実現されるキーボード等であっても良い。また、例えば、ユーザ等が、図示しないモニタ等に表示された地図上の目的地となる位置をマウス等でクリックした場合に、このクリックされた地図上の位置、あるいはこのクリックされた地図上の位置に対応する実際の位置に対応する目的地を指定する目的地指定情報、例えば、クリックされた位置の座標や、クリックされた位置の建造物の名称等を目的地指定情報受付部１００が受け付けても良い。また、目的地指定情報受付部１００は、例えば、図示しないモニタ等に表示された目的地指定情報のリストから、ユーザがクリック等で選択した目的地指定情報を受け付けても良い。なお、モニタがタッチパネルである場合、クリックの代わりにタッチやタップを検出するようにしてもよい。
【００４４】
また、目的地指定情報受付部１００は、図示しないＷＥＢブラウザ等を用いてユーザの指示等によって行われた検索により得られた検索結果である目的地の名称や住所、電話番号等の情報を、目的地指定情報として受け付けても良い。
【００４５】
また、目的地指定情報受付部１００は、更に、現在地の位置情報（以下、現在地情報と称す）を受け付けても良い。現在地は、例えば、情報処理端末１０の現在地である。位置情報は、例えば、現在地の緯度および経度で表される座標や、現在地の地点を示す情報や、現在地の地域を識別可能な情報である。
【００４６】
なお、目的地指定情報受付部１００が受け付ける現在地情報が示す現在地は、情報処理端末１０の現在地でなくても良い。例えば、現在地は、ユーザが現在地として指定した位置であっても良い。
【００４７】
例えば、目的地指定情報受付部１００は、図示しない入力デバイス等を介してユーザから入力された現在地情報を受け付けても良い。また、目的地指定情報受付部１００は、ユーザが入力した情報を用いて図示しない検索部等により検索された位置情報を、現在地情報として受け付けても良い。また、目的地指定情報受付部１００は、後述する現在位置取得部１０１が取得した現在地情報を受け付けても良い。以下においては、一例として、後述する現在位置取得部１０１が取得した現在地情報を、目的地指定情報受付部１００が受け付ける場合を例に挙げて説明する。
【００４８】
ここでの受け付けとは、上述したようなキーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４９】
目的地指定情報受付部１００に対して目的地指定情報を入力するための入力手段は、テンキーや、キーボードや、マウスや、タッチパネルや、メニュー画面によるもの等、何でも良い。目的地指定情報受付部１００は、タッチパネルや、テンキーや、キーボード等の入力手段のデバイスドライバーや、メニュー画面の制御ソフトウェア等で実現され得る。
【００５０】
現在位置取得部１０１は、現在地情報を取得する。現在地は、例えば、情報処理端末１０の現在地である。現在位置取得部１０１は、例えば、予め指定された一定または不定のタイミングごとに、現在地情報を取得する。また、現在位置取得部１０１は、予め指定されたトリガーに応じて、現在地情報を取得しても良い。
【００５１】
現在位置取得部１０１は、例えば、ＧＰＳ受信機である。また、現在位置取得部１０１は、無線ＬＡＮや携帯電話の位置検出を行う手段と同様の構成等でも実現可能である。この場合、現在位置取得部１０１は、無線ＬＡＮや携帯電話の位置検出を行う処理等と同様の処理により位置情報を取得すれば良い。また、現在位置取得部１０１は、その他の処理によって、位置情報を取得するものであっても良い。
【００５２】
送信部１０２は、目的地指定情報受付部１００が受け付けた目的地指定情報をサーバ装置２０に送信する。また、送信部１０２は、さらに、目的地指定情報受付部１００が受け付けた現在地情報をサーバ装置２０に送信する。例えば、送信部１０２は、目的地指定情報をサーバ装置２０に送信する際に、目的地指定情報受付部１００が受付済みである現在地情報を、目的地指定情報と対応づけてサーバ装置２０に送信する。
【００５３】
送信部１０２は、通常、無線または有線の通信手段で実現されるが、放送手段で実現されても良い。送信部１０２は、通信デバイスを含むと考えても、含まないと考えても良い。
【００５４】
受信部１０３は、サーバ装置２０から利用情報を受信する。利用情報は、送信部１０２が送信した目的地指定情報に対応する目的地に関連する１または２以上の地点についての、各地点が利用可能であるか否かに関する情報である。利用情報は、送信部１０２が送信した目的地指定情報に応じてサーバ装置２０から送信される情報である。例えば、利用情報は、送信部１０２が送信した目的地指定情報を用いてサーバ装置２０により取得されて送信される情報である。利用情報は、例えば、目的地に関連する地点が利用可能であるか否かを示す情報（以下、利用可否情報と称す）を含む情報である。利用情報は、例えば、目的地に関連する１または２以上の地点を示す地点情報と、この地点情報が示す地点が利用可能であるか否かを示す情報（以下、利用可否情報と称す）を含む情報である。ただし、目的地指定情報に対応する目的地に関連する地点が一つである場合等、例えば、目的地に関連する地点が目的地自身である場合等においては、利用情報は地点情報を有していなくても良い。なお、ここでの地点情報は、後述する地点関連情報格納部２０３に格納されている地点情報を、地点情報に１対１で対応する情報で置き換えた情報であっても良い。例えば、地点の座標を示す地点情報を、この地点の名称を示す情報に置き換えて得られる地点情報であっても良い。かかることは、以下においても同様である。利用情報の詳細については後述する。
【００５５】
受信部１０３は、通常、無線または有線の通信手段で実現される。受信部１０３は、通信デバイスを含むと考えても、含まないと考えても良い。
【００５６】
出力部１０４は、受信部１０３が受信した利用情報を出力する。ここでの出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。かかることは、以下の動的出力部１０６についても同様である。
【００５７】
出力部１０４は、ディスプレイやスピーカー等の出力デバイスを含むと考えても含まないと考えても良い。出力部１０４は、出力デバイスのドライバーソフトまたは、出力デバイスのドライバーソフトと出力デバイス等で実現され得る。
【００５８】
動的受信部１０５は、サーバ装置２０から地点動的情報を受信する。地点動的情報については後述する。動的受信部１０５は、通常、無線または有線の通信手段で実現されるが、放送を受信する手段で実現されても良い。動的受信部１０５は、通信デバイスを含むと考えても、含まないと考えても良い。
【００５９】
動的出力部１０６は、動的受信部１０５が受信した地点動的情報を出力する。動的出力部１０６は、ディスプレイやスピーカー等の出力デバイスを含むと考えても含まないと考えても良い。動的出力部１０６は、出力デバイスのドライバーソフトまたは、出力デバイスのドライバーソフトと出力デバイス等で実現され得る。
【００６０】
サーバ装置２０は、例えば、情報処理端末１０から送信される目的地指定情報等に応じて、この目的地に関連する利用情報等を取得して、情報処理端末１０に送信するサーバ装置である。サーバ装置２０は、例えば、ナビゲーションに必要な情報等を情報処理端末１０に送信するサーバ装置である。
【００６１】
サーバ受信部２０１は、情報処理端末１０から目的地指定情報を受信する。また、サーバ受信部２０１は、さらに情報処理端末１０から現在地情報を受信してもよい。また、サーバ受信部２０１は、目的地指定情報の送信元である情報処理端末１０を識別する情報、例えば、情報処理端末１０のアドレス情報等を受信してもよい。
【００６２】
サーバ受信部２０１は、通常、無線または有線の通信手段で実現される。サーバ受信部２０１は、通信デバイスを含むと考えても、含まないと考えても良い。
【００６３】
経路情報取得部２０２は、情報処理端末１０の現在位置から目的地指定情報が示す目的地までの経路を示す情報である経路情報を取得する。例えば、図示しない地図情報格納部等に格納されている道路を示すノードやリンク等の情報を有する道路情報等を用いて現在地から目的地までの経路を探索し、探索により検出された経路を示す経路情報を取得する。道路情報は、例えば、図示しない格納部等に格納されている地図情報が有する道路情報である。経路情報は、例えば、経路を示すリンクとノードとにより構成される情報である。経路情報取得部２０２は、例えば、情報処理端末１０から送信される現在地情報が示す情報処理端末１０の現在地から、情報処理端末１０から送信される目的地指定情報が示す目的地までの経路情報を取得する。なお、現在地から目的地までの経路情報を取得することは公知技術であるため、ここでは詳細な説明は省略する。また、目的地の位置情報等が必要な場合、後述する地点関連情報等から適宜取得するようにしても良い。
【００６４】
また、経路情報取得部２０２は、現在地から目的地または目的地に関連する地点までの移動に必要と考えられる移動時間である予測移動時間を、上記で検出した経路情報等を利用して取得しても良い。このような予測移動時間を経路情報等を利用して取得することは公知技術であるので、ここでは詳細な説明は省略する。
【００６５】
経路情報取得部２０２は、通常、ＭＰＵやメモリ等から実現され得る。経路情報取得部２０２の処理手順は、通常、ソフトウェアで実現され、当該ソフトウェアはＲＯＭ等の記録媒体に記録されている。但し、ハードウェア（専用回路）で実現しても良い。
【００６６】
なお、後述する処理、例えば、後述する地点時間情報取得部２０４が地点関連情報を取得する際や、利用情報取得部２０６が利用情報を取得する際等に、到着予定時刻や、経路情報を利用しない場合、経路情報取得部２０２は設けないようにしても良い。
【００６７】
地点関連情報格納部２０３には、地点情報と地点時間情報とを有する１または２以上の地点関連情報が格納される。地点情報は、地点を示す情報である。地点情報は、地点を特定可能な情報である。地点情報は、例えば、地点の位置情報（例えば、座標）や、地点の名称や、地点の電話番号や、地点に割り当てられたコード等の地点の識別子、地点のメールアドレス等の情報のうちの１または２以上有する情報である。例えば、地点情報は、地点の位置情報と、地点の名称とを有する情報である。なお、一の地点情報は、この地点情報に対して１対１等で対応する異なる地点情報に適宜、変更されても良い。このような場合も、実質的に同じ地点情報であると考えるようにしてもよい。かかることは、以下においても同様である。例えば、地点の識別情報を、対応する地点の座標情報に適宜変更して用いるようにしてもよい。
【００６８】
地点時間情報は、地点情報が示す情報が示す地点についての時間に関する情報である。地点についての時間に関する情報は、例えば、地点の利用可能な時間、例えば、営業時間や入場時間、開演時間、開業時間等を示す情報である。地点についての時間に関する情報は、例えば、地点の利用できない時間、例えば休憩時間や、閉店時間や定休日を示す情報であってもよい。ここでの時間は、曜日や、日付等も含む概念である。時間は、例えば、日時の情報等と考えてもよい。時間に関する情報は、時間帯や期間に関する情報と考えてもよい。
【００６９】
地点が利用可能ということは、例えば、地点が提供する商品やサービスを受けることが可能であることである。また、地点に出入りすることができることを、地点が利用可能であると考えてもよい。また、例えば、地点が利用可能ということは、地点を本来の状況や好ましい状況で観ることが可能なことと考えてもよい。例えば、地点が自然の景観等を眺めることが可能な観光名所である場合、この景観を眺めるために好ましい時間帯を、地点を利用可能な時間と考えてもよい。
【００７０】
また、地点関連情報は、更に、地点情報が示す地点についての属性を示す情報である地点属性情報を有していても良い。地点属性情報は、例えば、地点情報が示す地点の分類を示す情報である。例えば、地点属性情報は、地点情報が示す地点が、飲食店であるか、ランドマークであるか、物品を販売する店舗であるか、病院であるか等を示す情報である。また、地点属性情報は、地点情報が示す地点が、和食店、洋食店、ファーストフード店、喫茶店等のいずれであるかを示す情報であっても良い。また、地点属性情報は、地点情報が示す地点で提供する物品やサービスの分類等を示す情報であっても良い。
【００７１】
地点関連情報格納部２０３は、不揮発性の記録媒体が好適であるが、揮発性の記録媒体でも実現可能である。また、ここでの格納は、一時記憶も含む概念と考えてもよい。かかることは、他の格納部においても同様である。
【００７２】
地点時間情報取得部２０４は、サーバ受信部２０１が受信した目的地指定情報に対応する目的地に関連する地点情報を有する１または２以上の地点関連情報が有する地点時間情報を、地点関連情報格納部２０３から取得する。このことは、例えば、地点時間情報取得部２０４が、サーバ受信部２０１が受信した目的地指定情報に対応する目的地に関連する１または２以上の地点についての地点関連情報がそれぞれ有する地点時間情報を取得することと考えてもよい。
【００７３】
なお、例えば、目的地指定情報に対応する目的地が２以上である場合等においては、取得する地点時間情報に対応する地点を特定できるよう、地点時間情報取得部２０４は、地点情報と対応づけられた地点時間情報、具体的には、地点時間情報を有する地点関連情報を取得することが好ましい。具体的には、地点時間情報取得部２０４は、目的地指定情報に対応する目的地に関連する地点情報を有する１または２以上の地点関連情報を取得するようにしても良い。なお、目的地が一つである場合においても、地点関連情報を取得して良いことはいうまでもない。目的地指定情報に対応する目的地とは、例えば、目的地指定情報が示す目的地である。目的地指定情報に対応する目的地とは、例えば、目的地指定情報により特定される場所や地点である。以下、地点時間情報取得部２０４が地点関連情報を取得する例について、説明する。
【００７４】
（１）目的地の地点情報を有する地点関連情報を取得
例えば、地点時間情報取得部２０４は、目的地指定情報に対応する目的地に関連する地点情報を有する地点関連情報として、目的地指定情報に対応する目的地の地点情報を有する地点関連情報を、地点関連情報格納部２０３から取得する。目的地の地点情報を有する地点関連情報とは、例えば、目的地指定情報と一致する情報を有する地点情報を有する地点関連情報である。例えば、地点時間情報取得部２０４は、目的地指定情報と一致する情報を有する地点情報を有する地点関連情報を検出し取得する。例えば、地点情報が目的地の名称と電話番号とを有する情報であり、目的地指定情報が目的地の電話番号であるとすると、地点時間情報取得部２０４は、目的地指定情報の電話番号と一致する電話番号を有する地点情報を有する地点関連情報を取得する。なお、地点時間情報取得部２０４が、地点関連情報を取得する際には、地点情報の一部のみ、例えば、地点情報のうちの地点の名称のみや、地点の名称と位置情報とだけを選択的に取得するようにしてもよい。
【００７５】
（２）目的地の周辺の地点情報を有する地点関連情報を取得
また、例えば、地点時間情報取得部２０４は、目的地指定情報に対応する目的地に関連する地点情報を有する地点関連情報として、目的地指定情報に対応する目的地の周辺の地点情報を有する地点関連情報を、地点関連情報格納部２０３から取得する。
【００７６】
目的地の周辺の地点情報を有する地点関連情報とは、具体的には、目的地の周辺の地点を示す地点情報を有する地点関連情報である。目的地の周辺の地点とは、目的地を含む予め指定された領域内の地点である。例えば、目的地の周辺の地点とは、目的地からの距離が予め指定された距離以内である地点である。また、目的地周辺の地点とは、例えば、目的地を中心等に配置した予め指定された矩形や円形等の領域内にある地点であってもよい。また、目的地周辺の地点とは、例えば、目的地と同じ地域、例えば都道府県、市町村区や、丁目、番地、建築物内、敷地内等にある地点であってもよい。ただし、目的地の周辺の地点情報は、目的地の地点情報を除く地点情報としても良い。
【００７７】
例えば、地点情報が地点の位置情報を有しているものとすると、地点時間情報取得部２０４は、まず、目的地指定情報が示す目的地の位置情報を取得する。例えば、目的地指定情報が目的地の位置情報（例えば、緯度、軽度等で表される座標や、地図上の座標）でない場合、目的地指定情報と一致する情報を有する地点情報を、地点関連情報格納部２０３から検出して、この地点情報が有する位置情報を目的地の位置情報として取得する。なお、目的地指定情報が目的地の位置情報である場合、目的地指定情報をそのまま目的地の位置情報として取得する。そして、この位置情報の周辺の位置を示す位置情報、例えばこの位置情報との距離が予め指定された距離以下である位置情報を有する地点情報を、地点関連情報格納部２０３に格納されている地点関連情報が有する地点情報において検出し、検出した地点情報を有する地点関連情報を取得する。なお、ある位置の周辺の位置を示す位置情報を検索する処理等は、公知技術であるので、ここでは詳細な説明は省略する。
【００７８】
（３）目的地までの経路の周辺の地点情報を有する地点関連情報を取得
また、例えば、地点時間情報取得部２０４は、目的地指定情報に対応する目的地に関連する地点情報を有する地点関連情報として、経路情報取得部２０２が取得した経路情報が示す経路の周辺の地点情報を有する１または２以上の地点関連情報を、地点関連情報格納部２０３から取得する。経路情報取得部２０２が取得した経路情報とは、例えば、現在地情報が示す現在地から目的地指定情報が示す目的地までの経路探索を行って取得した経路を示す経路情報である。経路の周辺の地点とは、例えば、経路を含む領域内の地点である。経路を含む領域内の地点とは、例えば、経路や、経路の一部（例えば、経路に含まれるノード等）からの距離が予め指定された距離以内である地点であってもよい。また、経路を含む領域内の地点とは、例えば、経路が通過する地域、例えば、都道府県、市町村区、丁目、番地、建築物内、敷地内等にある地点であってもよい。また、経路を含む領域内の地点とは、経路が通過する予め指定された矩形や円形等の領域内の地点であってもよい。ただし、経路を囲む領域は、目的地や目的地周辺の領域を含まない領域としてもよい。
【００７９】
例えば、地点情報が地点の位置情報を有しているものとすると、地点時間情報取得部２０４は、経路情報取得部２０２が取得した経路情報が示す経路の周辺の位置を示す位置情報、例えば経路情報が示す経路上の位置との距離が予め指定された距離以下である位置情報を有する地点情報を、地点関連情報格納部２０３に格納されている地点関連情報が有する地点情報において検出し、検出した地点情報を有する地点関連情報を取得する。なお、経路上の位置の周辺の位置を示す位置情報を検索する処理等は、公知技術であるので、ここでは詳細な説明は省略する。
【００８０】
なお、地点関連情報が地点属性情報等を有する場合、地点時間情報取得部２０４は、上記のようにして取得した目的地指定情報に対応する目的地に関連する地点情報を有する地点関連情報の中から、地点関連情報が有する地点属性情報等を利用して、選択的に地点関連情報を取得するようにしてもよい。例えば、目的地の地点情報を有する地点関連情報が有する地点属性情報を地点関連情報から取得して、この地点属性情報と一致する地点属性情報を有する地点関連情報のみを、目的地に関連する地点情報を有する地点関連情報から選択的に取得するようにしても良い。また、ユーザ等が情報処理端末１０に入力した属性値を指定する情報が、情報処理端末１０からサーバ装置２０に送信されるようにし、サーバ装置２０が受信したこの属性値を指定する情報が示す属性値に対応づけられた地点関連情報だけを選択的に取得するようにしてもよい。
【００８１】
また、地点時間情報取得部２０４は、上述した（１）から（３）の処理の２以上の組み合わせ、あるいはこの組み合わせに相当する処理により、地点関連情報を取得しても良い。
【００８２】
また、上記において、目的地指定情報に対応する目的地が一つに特定できる場合等においては、地点関連情報の代わりに、地点関連情報が有する地点時間情報を取得するようにして良いことはいうまでもない。この場合、例えば、上記の処理や以降の処理において、地点時間情報取得部２０４が地点関連情報を取得する処理は、地点関連情報が有する地点時間情報を取得する処理とすればよい。例えば、この場合、（１）は、目的地の地点情報を有する地点関連情報が有する地点時間情報を取得する処理、（２）は、目的地の周辺の地点情報を有する地点関連情報が有する地点時間情報を取得する処理、（３）は、目的地までの経路の周辺の地点情報を有する地点関連情報を取得する処理としてもよい。
【００８３】
なお、本実施の形態においては、説明の便宜上、地点時間情報取得部２０４が、サーバ受信部２０１が受信した目的地指定情報に対応する目的地に関連する地点情報を有する１または２以上の地点関連情報を取得する場合を例に挙げて説明する。ただし、地点時間情報取得部２０４が、地点関連情報の代わりに、地点関連情報が有する地点時間情報を取得するようにしても良いことはいうまでもない。
【００８４】
地点時間情報取得部２０４は、通常、ＭＰＵやメモリ等から実現され得る。地点時間情報取得部２０４の処理手順は、通常、ソフトウェアで実現され、当該ソフトウェアはＲＯＭ等の記録媒体に記録されている。但し、ハードウェア（専用回路）で実現しても良い。
【００８５】
時刻情報取得部２０５は、時刻を示す情報である時刻情報を取得する。ここでの時刻は、日時も含むと考えてもよい。例えば、時刻情報取得部２０５は、時刻情報として現在の時刻を示す情報を取得する。時刻情報取得部２０５は、図示しない時計や、図示しないＮＴＰ（Ｎｅｔｗｏｒｋ  Ｔｉｍｅ  Ｐｒｏｔｏｃｏｌ）サーバ等から現在時刻の情報を取得する。あるいは、情報処理端末１０から送信される目的地指定情報に付与されている送信時刻等の情報を現在の時刻の情報として取得しても良い。
【００８６】
また、時刻情報取得部２０５は、目的地指定情報が示す目的地への到着予測時刻を示す情報を、時刻情報として取得してもよい。時刻情報としては、このような到着予測時刻を示す情報を用いることが好ましい。例えば、時刻情報取得部２０５は、上記のように取得した現在の時刻に、経路情報取得部２０２が取得した予測移動時間を加算して得られる到着予測時刻を示す情報を時刻情報として取得する。ただし、到着予測時刻は、必ずしも、経路情報取得部２０２が取得した予測移動時間を用いて取得しなくてもよく、例えば、現在地と目的地との直線距離に比例した、あるいは直線距離に応じて段階的に決定される移動時間を現在時刻に加算することで、到着予測時刻を取得してもよい。
【００８７】
時刻情報取得部２０５は、通常、ＭＰＵやメモリ等から実現され得る。時刻情報取得部２０５の処理手順は、通常、ソフトウェアで実現され、当該ソフトウェアはＲＯＭ等の記録媒体に記録されている。但し、ハードウェア（専用回路）で実現しても良い。
【００８８】
利用情報取得部２０６は、時刻情報取得部２０５が取得した時刻情報と、地点時間情報取得部２０４が取得した１または２以上の地点時間情報とを用いて、この各地点時間情報に対応する地点情報が示す地点が利用可能であるか否かを判断して、各地点についての利用情報を取得する。地点時間情報取得部２０４が取得した１または２以上の地点時間情報に対応する地点とは、例えば、地点時間情報取得部２０４が取得した地点時間情報を有する地点関連情報が有する地点情報である。地点時間情報取得部２０４が取得した１または２以上の地点時間情報に対応する地点とは、例えば、地点時間情報取得部２０４が取得した地点時間情報の取得元となる地点関連情報が有する地点情報である。
【００８９】
なお、地点時間情報取得部２０４が地点関連情報を取得する場合、地点時間情報取得部２０４が取得した地点時間情報を、地点時間情報取得部２０４が取得した地点関連情報が有する地点時間情報と考えてもよい。具体的には、利用情報取得部２０６は、時刻情報取得部２０５が取得した時刻情報と、地点時間情報取得部２０４が取得した１または２以上の地点関連情報が有する地点時間情報とを用いて、各地点関連情報が有する地点情報が示す地点が利用可能であるか否かを判断して、各地点についての利用情報を取得するようにしてもよい。
【００９０】
以下、本実施の形態においては、説明の便宜上、利用情報取得部２０６が、地点時間情報取得部２０４が取得した地点関連情報が有する地点時間情報を用いて利用情報を取得する場合を例に挙げて説明するものとする。ただし、利用情報取得部２０６が取得した地点時間情報を用いて利用情報を取得してもよいことはいうまでもない。この場合、利用情報取得部２０６は、地点関連情報から地点時間情報を取得する処理を除けば、利用情報取得部２０６は、地点関連情報を用いる場合と実質的に同じ処理を行うようにすればよい。また、この場合、地点時間情報取得部２０４が取得した地点関連情報が有する地点時間情報や地点関連情報から取得した地点時間情報は、地点時間情報取得部２０４が取得した地点時間情報と考えてよい。
【００９１】
利用情報取得部２０６は、各地点についての利用情報として、例えば、各地点を示す地点情報を有する利用情報を取得する。なお、利用情報取得部２０６は、地点関連情報が有する地点情報に含まれる複数の情報のうちの一部だけを地点情報として有する利用情報を取得しても良い。なお、利用情報取得部２０６は、利用可否情報を有し、かつ地点情報を有さない利用情報を取得しても良い。例えば、利用情報がどの地点についての利用可否情報を有するものであるか否かを、情報処理端末１０において判断可能である場合等においては、利用情報取得部２０６は、利用可否情報を有し、かつ地点情報を有さない利用情報を取得しても良い。
【００９２】
利用情報は、上述したように、送信部１０２が送信した目的地指定情報に対応する目的地に関連する１または２以上の地点についての、各地点が利用可能であるか否かに関する情報である。この目的地指定情報に対応する目的地に関連する１または２以上の地点とは、例えば、地点時間情報取得部２０４が取得した１または２以上の地点関連情報が有する地点情報が示す地点である。なお、地点時間情報取得部２０４が取得した地点関連情報が有する地点情報は、地点時間情報取得部２０４が取得した地点時間情報に対応する地点情報に相当するものと考えてもよい。具体的には、地点時間情報取得部２０４が取得した地点時間情報を有する地点関連情報が有する地点情報や、地点時間情報取得部２０４が取得した地点時間情報の取得元となる地点関連情報が有する地点情報としてもよい。かかることは、以下においても同様である。
【００９３】
利用情報取得部２０６は、例えば、地点時間情報取得部２０４が取得した各地点関連情報が有する地点情報が示す地点が、時刻情報が示す時刻に利用可能であるか否かを判断して、利用情報を取得する。利用情報取得部２０６は、例えば、地点時間情報取得部２０４が取得した一の地点関連情報が有する地点時間情報に、時刻情報取得部２０５が取得した時刻情報が示す時刻が含まれるか否かを判断し、含まれるか否かに応じた利用情報を取得する。
【００９４】
例えば、地点関連情報が有する地点時間情報が、地点情報が示す地点の利用可能な時間を示す情報である場合、利用情報取得部２０６は、時刻情報取得部２０５が取得した時刻情報が示す時刻がこの地点時間情報が示す時間内の時刻である場合、地点が時刻情報が示す時刻に利用可能であることを示す利用可否情報を有する利用情報を取得し、時間外の時刻である場合、利用不可であることを示す利用可否情報を有する利用情報を取得する。
【００９５】
また、例えば、地点関連情報が有する地点時間情報が、地点情報が示す地点の利用できない時間を示す情報である場合、利用情報取得部２０６は、時刻情報取得部２０５が取得した時刻情報が示す時刻がこの地点時間情報が示す時間内の時刻である場合、地点が時刻情報が示す時刻に利用不可であることを示す利用可否情報を有する利用情報を取得し、時間内の時刻である場合、利用可能であることを示す利用可否情報を有する利用情報を取得する。
【００９６】
利用情報取得部２０６は、例えば、上記のような処理を、地点時間情報取得部２０４が取得した１以上の地点関連情報に対して実行する。
【００９７】
例えば、地点時間情報取得部２０４が取得したある飲食店についての地点情報を有する一の地点関連情報が有する地点時間情報が、この飲食店の営業時間である１０時から２１時までの時間を示す情報であった場合において、時刻情報取得部２０５が取得した時刻情報が１８時であった場合、利用情報取得部２０６は、地点時間情報が示す時間内に、時刻情報が示す時刻が含まれると判断して、利用可能であることを示す利用可否情報と、この飲食店の地点情報を有する利用情報を取得する。
【００９８】
なお、時刻情報として、到着予測時刻を示す情報を用いることにより、利用情報取得部２０６は、地点関連情報が有する地点情報が示す地点が、到着予測時刻において利用可能であるか否かを判断して、利用情報を取得することが可能となる。例えば、目的地に関連する地点に情報処理端末１０を利用するユーザが到着した時点において、この地点が利用可能であるかを判断することが可能となることから、時刻情報としては、到着予測時刻を示す情報を用いることが好ましい。
【００９９】
利用情報取得部２０６は、通常、ＭＰＵやメモリ等から実現され得る。利用情報取得部２０６の処理手順は、通常、ソフトウェアで実現され、当該ソフトウェアはＲＯＭ等の記録媒体に記録されている。但し、ハードウェア（専用回路）で実現しても良い。
【０１００】
端末特定情報格納部２０７には、サーバ受信部２０１が受信した目的地指定情報を送信した情報処理端末１０を示す情報と、この目的地指定情報に対応する目的地に関連する地点情報とを有する端末特定情報が格納される。情報処理端末１０を示す情報は、例えば、情報処理端末１０のＩＰアドレスや、メールアドレス、ＵＲＬ等のアドレス情報や、情報処理端末１０の識別情報等である。情報処理端末１０を示す情報は、例えば、情報処理端末１０を送信先に指定する情報であってもよい。目的地指定情報に対応する目的地に関連する地点情報は、例えば、地点時間情報取得部２０４がこの目的地指定情報に応じて取得した目的地に関連する地点情報であり、上述した地点時間情報取得部２０４が目的地指定情報に応じて取得した地点関連情報に含まれる地点情報である。
【０１０１】
端末特定情報蓄積部２０８は、サーバ受信部２０１が受信した目的地指定情報を送信した情報処理端末を示す情報と、地点時間情報取得部がこの目的地指定情報に応じて取得した地点情報とを有する端末特定情報を、端末特定情報格納部２０７に蓄積する。
【０１０２】
端末特定情報蓄積部２０８は、通常、ＭＰＵやメモリ等から実現され得る。端末特定情報蓄積部２０８の処理手順は、通常、ソフトウェアで実現され、当該ソフトウェアはＲＯＭ等の記録媒体に記録されている。但し、ハードウェア（専用回路）で実現しても良い。
【０１０３】
サーバ送信部２０９は、利用情報取得部２０６が取得した利用情報を情報処理端末１０に送信する。サーバ送信部２０９は、通常、無線または有線の通信手段で実現されるが、放送手段で実現されても良い。サーバ送信部２０９は、通信デバイスを含むと考えても、含まないと考えても良い。
【０１０４】
サーバ動的受信部２１０は、情報入力装置３０から地点動的情報を受信する。地点動的情報は、１または２以上の地点に関連した動的情報を有する情報である。地点動的情報は、例えば、地点情報と、この地点情報に関連した動的情報とを有する情報である。サーバ動的受信部２１０は、具体的には、一の地点に対応する情報入力装置３０から、この地点に関する地点動的情報を受信する。例えば、一の地点に対応する情報入力装置３０から、この地点を示す地点情報を有する地点動的情報を受信する。一の地点に対応する情報入力装置３０とは、例えば、一の地点である飲食店や病院等で利用されたり管理されている情報入力装置３０である。動的情報は、地点情報に関連した動的に変化する情報である。地点情報に関連した情報とは、例えば、地点情報が示す地点についての情報を意味する。動的に変化する情報とは、時刻の変化等に応じて変更されたり変動する情報や、臨時に発生する情報等である。例えば、動的情報は、地点情報が示す地点において忘れ物や落とし物等の遺失物があったことを示す情報や、地点情報が示す地点における空席の有無や数等を示す空席状況を示す情報等である。また、動的情報は、空席の予測情報等であっても良い。また、動的情報は、臨時休業することを示す情報等であっても良い。
【０１０５】
サーバ動的受信部２１０は、通常、無線または有線の通信手段で実現される。サーバ動的受信部２１０は、通信デバイスを含むと考えても、含まないと考えても良い。
【０１０６】
サーバ動的送信部２１１は、サーバ動的受信部２１０が受信した地点動的情報を、地点動的情報と同じ地点情報に対応する利用情報を送信した情報処理端末１０に送信する。地点動的情報と同じ地点情報に対応する利用情報とは、例えば、地点動的情報と同じ地点情報を有する利用情報である。例えば、サーバ動的送信部２１１は、サーバ動的受信部２１０が受信した地点動的情報と同じ地点情報を有する端末特定情報が示す情報処理端末に、この地点動的情報を送信する。例えば、サーバ動的送信部２１１は、サーバ動的受信部２１０が受信した地点動的情報と同じ地点情報を有する端末特定情報を、端末特定情報格納部２０７から検索により検出し、検出した端末特定情報が示す情報処理端末１０にこの地点動的情報を送信する。
【０１０７】
サーバ動的送信部２１１は、例えば、サーバ受信部２０１が、地点動的情報を受信した場合に、地点動的情報を、地点動的情報と同じ地点情報に対応する利用情報を送信した情報処理端末１０にプッシュ送信する。地点動的情報と同じ地点情報に対応する利用情報とは、例えば、地点動的情報と同じ地点情報を有する利用情報である。地点動的情報のプッシュ送信とは、例えば、情報処理端末１０からの送信要求がなくても、地点動的情報を情報処理端末１０に送信することである。
【０１０８】
また、サーバ動的送信部２１１は、例えば、サーバ受信部２０１が、受信した地点動的情報を図示しない格納部等に蓄積しておくようにし、一の情報処理端末１０から、地点動的情報の送信を要求する情報を受信した場合に、この要求する情報を送信した情報処理端末１０を示す情報を、この要求する情報や、これに付加された情報等から取得し、この情報処理端末１０を示す情報と一致する情報処理端末を示す情報を有する端末特定情報を端末特定情報格納部２０７から検出し、検出した端末特定情報に含まれる地点情報を取得し、この地点情報と一致する地点情報を有する地点動的情報を、上述した図示しない格納部から取得して、送信を要求した情報処理端末１０に送信するようにしてもよい。つまり、サーバ動的送信部２１１は、地点動的情報をいわゆるプル送信してもよい。
【０１０９】
この場合、例えば、一の情報処理端末１０に、この情報処理端末１０に対して予め指定された操作が行われた場合に、地点動的情報の送信を要求する情報を送信する要求送信部（図示せず）等を設け、サーバ装置２０には、この送信を要求する情報を受信する要求受信部（図示せず）等を設けるようにし、一の情報処理端末１０に対して予め指定された操作が行われた場合に、要求送信部が送信を要求する情報をサーバ装置２０に送信し、この送信を要求する情報を要求情報で受信したサーバ装置２０が、上記のように地点動的情報を一のい情報処理端末１０に送信するようにすればよい。この予め指定された操作は、例えば、情報処理端末１０に対して目的地を設定する操作や、情報処理端末１０を起動する操作等である。情報処理端末１０が車載用のナビゲーション装置である場合、情報処理端末１０を起動する操作は、例えば、情報処理端末１０を搭載した自動車のエンジンやかける操作や、自動車の電源をオンする操作である。また、目的地を設定する操作は、例えば、目的地指定情報を入力する操作であっても良い。
【０１１０】
サーバ動的送信部２１１は、例えば、サーバ受信部２０１が、地点動的情報を受信した場合、この地点動的情報と同じ地点情報を有する利用情報であって、取得の際に用いられた到着予測時刻が、上記の地点動的情報を受信した時刻に対して予め指定された関係にある利用情報を送信した情報処理端末１０に、地点動的情報を送信するようにしてもよい。
【０１１１】
例えば、地点動的情報が含む動的情報が、遺失物があったことを示す情報である場合、この地点動的情報を受信した時刻までの経過時間が、予め指定された時間内、例えば、１時間内である到着予測時刻を用いて取得された利用情報を送信した情報処理端末１０にだけ、この地点動的情報を送信するようにしてもよい。
【０１１２】
また、例えば、地点動的情報が含む動的情報が、空席状況を示す情報である場合、この地点動的情報を受信した時刻からの経過時間が、予め指定された時間内、例えば、１時間内である到着予測時刻を用いて取得された利用情報を送信した情報処理端末１０にだけ、この地点動的情報を送信するようにしてもよい。
【０１１３】
なお、このような処理を行うためには、例えば、端末特定情報蓄積部２０８が、利用情報取得部２０６が取得した地点情報に対応する到着予測時刻を更に有する端末特定情報を、端末特定情報格納部２０７に蓄積するようにし、この端末特定情報の到着予測時刻を、適宜、情報処理端末１０に地点動的情報を送信するか否かを判断する際に利用するようにすればよい。
【０１１４】
サーバ動的送信部２１１は、通常、無線または有線の通信手段で実現される。サーバ動的送信部２１１は、通信デバイスを含むと考えても、含まないと考えても良い。
【０１１５】
情報入力装置３０は、例えば、地点情報が示す地点において利用される装置である。情報入力装置３０は、例えば、コンピュータや、情報処理端末１０と同様の装置等で実現される。
【０１１６】
地点動的情報受付部３０１は、地点動的情報を受け付ける。上述したように地点動的情報は、動的情報とを有する情報である。また、地点動的情報は、更に動的情報に対応する地点情報を有していても良い。例えば、地点動的情報受付部３０１は、一の地点を示す地点情報と、この地点情報が示す地点についての動的情報とを有する地点動的情報を受け付ける。この一の地点は、例えば、この地点動的情報受付部３０１を有する情報入力装置３０に対応する地点である。情報入力装置３０に対応する地点とは、例えば、情報入力装置３０が利用される地点である。地点動的情報受付部３０１は、例えば、地点情報が示す地点についての動的情報を受け付ける。
【０１１７】
地点動的情報受付部３０１は、例えば、キーボード等の入力デバイス等を介して一の地点の管理者やオペレータ等から入力される動的情報を有する地点動的情報を受け付ける。地点動的情報受付部３０１は、更に地点情報を有する地点動的情報を受け付けても良い。なお、地点情報の受付は、地点情報に対応するログインＩＤやアカウント等の入力に応じてサーバ装置２０等から送信される地点情報の受信等であっても良いし、地点情報であるログインＩＤやアカウントの入力の受付であっても良い。
【０１１８】
また、地点情報の受付は、例えば、図示しない記録媒体等に予め格納されている地点情報の読み出しと考えてもよい。例えば、地点動的情報受付部３０１は、入力デバイス等を介して入力される動的情報と、図示しない格納部から読み出した予め格納されている地点情報（例えば、地点の名称や識別子等）とを有する地点動的情報を受け付けるようにしてもよい。ここでの地点情報は、地点に対応するＩＰアドレスやメールアドレス等のアドレス情報等であっても良い。なお、地点動的情報受付部３０１は、後述する地点動的情報送信部３０２が地点動的情報を送信する際に、地点情報を取得しても良い。例えば、地点動的情報送信部３０２が地点動的情報を送信する際に送信元を特定する際に付与するＩＰアドレスや機器の識別情報等の地点情報を、地点動的情報受付部３０１が受け付けた地点情報と考えてもよい。
【０１１９】
地点動的情報の入力手段は、テンキーやキーボードやマウスやメニュー画面によるもの等、何でも良い。地点動的情報受付部３０１は、テンキーやキーボード等の入力手段のデバイスドライバーや、メニュー画面の制御ソフトウェア等で実現され得る。
【０１２０】
地点動的情報送信部３０２は、地点動的情報受付部３０１が受け付けた地点動的情報を、サーバ装置２０に送信する。地点動的情報送信部３０２は、通常、無線または有線の通信手段で実現されるが、放送手段で実現されても良い。地点動的情報送信部３０２は、通信デバイスを含むと考えても、含まないと考えても良い。
【０１２１】
なお、ここでは説明は省略しているが、情報処理端末１０は、例えば、いわゆるナビゲーション装置等（図示せず）と同様に、目的地指定情報受付部１００が受け付けた目的地指定情報や現在地情報が示す目的地や現在地についての地図を取得して出力する地図出力部（図示せず）や、この現在地から目的地までの経路探索等を行って、経路を示す情報を取得し、この経路を示す情報を出力する経路出力部（図示せず）等を有していても良い。また、これらの情報を取得するために必要な情報が格納された格納部（図示せず）や、通信手段（図示せず）等を備えていても良い。
【０１２２】
次に、情報処理システム１の情報処理端末１０の動作の一例について図２のフローチャートを用いて説明する。なお、以下においては、地点時間情報取得部２０４が、サーバ受信部２０１が受信した目的地指定情報に対応する目的地に関連する地点情報を有する地点関連情報が有する地点時間情報として、この地点関連情報を取得する場合を例に挙げて説明する。
【０１２３】
（ステップＳ１０１）目的地指定情報受付部１００は、目的地指定情報を受け付けたか否かを判断する。受け付けた場合、ステップＳ１０２に進み、受け付けていない場合、ステップＳ１０６に進む。
【０１２４】
（ステップＳ１０２）現在位置取得部１０１は、現在地情報を取得する。
【０１２５】
（ステップＳ１０３）送信部１０２は、ステップＳ１０１で受け付けた目的地指定情報と、ステップＳ１０２で取得した現在地情報をサーバ装置２０に送信する。
【０１２６】
（ステップＳ１０４）受信部１０３は、利用情報を受信したか否かを判断する。受信した場合、ステップＳ１０５に進み、受信していない場合、ステップＳ１０４に戻る。
【０１２７】
（ステップＳ１０５）出力部１０４は、ステップＳ１０４で受信した利用情報を出力する。そして、ステップＳ１０１に戻る。
【０１２８】
（ステップＳ１０６）動的受信部１０５は、地点動的情報を受信したか否かを判断する。受信した場合、ステップＳ１０７に進み、受信していない場合、ステップＳ１０１に戻る。
【０１２９】
（ステップＳ１０７）動的出力部１０６は、ステップＳ１０６で受け付けた地点動的情報を出力する。そして、ステップＳ１０１に戻る。
【０１３０】
なお、図２のフローチャートにおいて、電源オフや処理終了の割り込みにより処理は終了する。
【０１３１】
次に、情報処理システム１のサーバ装置２０の動作の一例について図３のフローチャートを用いて説明する。
【０１３２】
（ステップＳ２０１）サーバ受信部２０１は、目的地指定情報を情報処理端末１０から受信したか否かを判断する。ここでは、また、現在地情報も受信したか否かを判断する。受信した場合、ステップＳ２０２に進み、受信していない場合、ステップＳ２０９に進む。
【０１３３】
（ステップＳ２０２）経路情報取得部２０２は、ステップＳ２０１で受信した目的地指定情報と現在地情報とを用いて、目的地指定情報が示す目的地から、現在地情報が示す現在地までの経路探索を行って経路情報を取得する。そして、経路までの予測移動時間を取得する。
【０１３４】
（ステップＳ２０３）地点時間情報取得部２０４は、ステップＳ２０１で受信した目的地指定情報に対応する地点関連情報を、地点関連情報格納部２０３から取得する。
【０１３５】
（ステップＳ２０４）時刻情報取得部２０５は、現在の時刻を、図示しない時計等から取得する。
【０１３６】
（ステップＳ２０５）時刻情報取得部２０５は、ステップＳ２０４で取得した現在の時刻と、ステップＳ２０２で取得した予測移動時間とを用いて（例えば、加算して）目的地までの到着予測時刻を取得する。
【０１３７】
（ステップＳ２０６）利用情報取得部２０６は、ステップＳ２０３で取得した各地点関連情報について利用情報を取得する。例えば、利用情報取得部２０６は、一の地点関連情報が有する地点時間情報が示す一の地点を利用可能な時間に、ステップＳ２０５で取得した到着予測時刻が含まれるか否かを判断し、含まれる場合には、この一の地点関連情報が有する地点情報が示す地点が利用可能であることを示す情報と地点情報とを有する利用情報を取得し、含まれない場合、利用不可であることを示す情報と地点情報とを有する利用情報を取得する。この処理を、ステップＳ２０３で取得した各地点関連情報について行う。
【０１３８】
（ステップＳ２０７）サーバ送信部２０９は、ステップＳ２０６で取得した利用情報を、目的地指定情報の送信元となる情報処理端末１０に送信する。
【０１３９】
（ステップＳ２０８）端末特定情報蓄積部２０８は、目的地指定情報の送信元となる情報処理端末１０を示す情報と、ステップＳ２０６で取得した利用情報が有する地点情報とを有する１または２以上の端末特定情報を取得し、端末特定情報格納部２０７に蓄積する。そして、ステップＳ２０１に戻る。
【０１４０】
（ステップＳ２０９）サーバ動的受信部２１０は、情報入力装置３０から地点動的情報を受信したか否かを判断する。受信した場合、ステップＳ２１０に進み、受信していない場合、ステップＳ２０１に戻る。
【０１４１】
（ステップＳ２１０）サーバ動的送信部２１１は、ステップＳ２０９で受信した地点動的情報の送信先の情報処理端末１０を示す情報を、端末特定情報格納部２０７に格納されている端末特定情報を用いて取得する。例えば、サーバ動的送信部２１１は、ステップＳ２０９で受信した地点動的情報に含まれる地点情報を取得し、この地点情報と一致する地点情報を有する１または２以上の端末特定情報を、端末特定情報格納部２０７に格納されている端末特定情報において検出し、検出した１または２以上の端末特定情報が有する１または２以上の情報処理端末１０を示す情報を取得する。
【０１４２】
（ステップＳ２１１）サーバ動的送信部２１１は、ステップＳ２１０で取得した情報処理端末１０を示す情報が示す情報処理端末１０に、ステップＳ２０９で受信した地点動的情報を送信する。そして、ステップＳ２０１に戻る。
【０１４３】
なお、図３のフローチャートのステップＳ２０５においては、目的地までの到着予測時刻を取得するようにしたが、例えば経路情報取得部２０２は、地点時間情報取得部２０４がステップＳ２０３で取得した地点関連情報が有する地点情報が示す地点までの経路探索を行って、現在地から各地点情報が示す地点までの予測移動時間を取得して、各地点への到着予測時刻を取得するようにしても良い。そして、ステップＳ２０６においては、各地点の到着予測時刻と、各地点の地点情報を有する地点関連情報の地点時間情報とを比較すること、ステップＳ２０３において取得した地点関連情報についての利用情報をしても良い。
【０１４４】
なお、図３のフローチャートにおいて、電源オフや処理終了の割り込みにより処理は終了する。
【０１４５】
次に、情報処理システム１の情報入力装置３０の動作の一例について簡単に説明する。地点動的情報受付部３０１は、地点動的情報を受け付けたか否かの判断を繰り返す。そして、地点動的情報受付部３０１が、地点動的情報を受け付けたと判断した場合、地点動的情報送信部３０２は、地点動的情報受付部３０１が受け付けた地点動的情報をサーバ装置２０に送信する。
【０１４６】
以下、本実施の形態における情報処理システム１の具体的な動作について説明する。情報処理システム１の概念図は図４である。ここでは、複数の情報処理端末１０ａ、１０ｂ…と、複数の情報入力装置３０ａ、３０ｂ…とを備えている場合を示しているが、これらはそれぞれ一つであっても良い。ここでは、情報処理端末１０が、自動車に搭載されたナビゲーション装置である場合を例に挙げて説明する。
【０１４７】
まず、情報処理端末１０ａのユーザが、情報処理端末１０に対して、タッチパネル等を操作して、目的地の名称である「ＡＢＣレストラン」という文字列を入力したとすると、目的地指定情報受付部１００は、この「ＡＢＣレストラン」という文字列を目的地指定情報として受け付ける。そして、例えば、ユーザが、目的地を設定するためのボタン等を押す操作を行ったとする。
【０１４８】
現在位置取得部１０１は、情報処理端末１０ａの現在地情報を取得する。現在地情報は、現在地を示す緯度と経度とで構成される座標であるとする。そして、送信部１０２は、上記で受け付けた目的地指定情報「ＡＢＣレストラン」と、現在地情報とを、サーバ装置２０に送信する。
【０１４９】
サーバ装置２０のサーバ受信部２０１は、情報処理端末１０ａから送信される目的地指定情報「ＡＢＣレストラン」と、情報処理端末１０ａの現在地情報とを受信する。また、ここでは、情報処理端末１０ａを示す情報として、情報処理端末１０ａのＩＰアドレス「１２３．４５６．ｘｘｘ．ｘｘｘ」も受信したとする。なお、「ｘ」は任意の一桁の整数であるとする。
【０１５０】
経路情報取得部２０２は、目的地指定情報が指定する目的地の座標を、図示しない格納部等に格納されている地点の名称と、地点の座標とを対応づけて有する情報や、地点関連情報格納部２０３に格納されている地点関連情報が有している、地点の名称と、地点の座標とを有する地点情報等から検索等により取得する。そして、取得した目的地の座標と、サーバ受信部２０１が受信した現在地情報である現在地の座標とを用いて、図示しない格納部等に格納されている道路情報等を用いて、現在地から目的地までの経路探索を行い、現在地から目的地までの経路を示す経路情報を取得する。取得した経路情報は、例えば、経路の節点となるノードの情報と、このノードを接続するリンクの情報等で構成される。なお、現在地から目的地までの経路探索は、どのような情報を用いて、どのように行うようにしてもよい。また、経路情報も経路を特定可能であればどのような情報であっても良い。
【０１５１】
また、経路情報取得部２０２は、取得した経路情報が示す経路で現在地から目的地まで移動する場合の予測移動時間を取得する。例えば、経路情報が示す各リンクに対応づけられている移動時間の情報等を加算したりすることで、予測移動時間を取得することが可能となる。経路探索結果により取得された経路を移動した場合の予測移動時間を取得する技術は、公知技術であるので、ここでは詳細な説明は省略する。例えば、取得した予測移動時間が４０分であったとする。
【０１５２】
図５は、地点関連情報格納部２０３に格納されている地点関連情報を管理する地点関連情報管理表である。地点関連情報管理表は、「地点」と、「時間」という属性を有している。「地点情報」は、更に、「名称」と、「位置」という属性を有している。「地点」は地点情報を示している。「時間」は地点時間情報を示しており、ここでは、地点の営業時間等の利用可能な時間である。ここでの時間は、時間帯と考えてもよい。「名称」は、地点の名称である。「位置」は、地点の位置情報であり、ここでは、緯度と経度との組で示される地点の座標である。なお、ｘ１，ｘ２等は、緯度を示す任意の値を示し、ｙ１，ｙ２等は、経度を示す任意の値を示す。
【０１５３】
地点時間情報取得部２０４は、図５に示した地点関連情報管理表から、「名称」が「目的地指定情報「ＡＢＣレストラン」と一致するレコード（行）を検出する。ここでの一致は、完全一致であっても部分一致であってもよい。ここでは、完全一致である場合を例に挙げて説明する。
【０１５４】
地点時間情報取得部２０４は、「名称」が目的地指定情報「ＡＢＣレストラン」と一致するレコード（行）として、図４の上から４行目のレコードを検出する。そして、検出したレコードの地点情報の一つである「名称」の属性値「ＡＢＣレストラン」と、「時間」の属性値である地点時間情報「１１：００〜１４：００，１７：００〜２０：００」とを、地点関連情報として取得する。
【０１５５】
次に、時刻情報取得部２０５は、現在の時刻を図示しない時計から取得する。取得した時刻は、「１６時５０分」であったとする。そして、時刻情報取得部２０５は、取得した現在の時刻に、経路情報取得部２０２が取得した予測移動時間である「４０分」を加算した時刻である「１７時３０分」を到着予測時刻として取得し、この時刻を示す時刻情報を取得する。
【０１５６】
利用情報取得部２０６は、上記で地点時間情報取得部２０４が取得した地点関連情報に含まれる地点時間情報「１１：００〜１４：００，１７：００〜２０：００」が示す時間内に、時刻情報取得部２０５が取得した地点時間情報が示す時刻、即ち到着予測時刻「１７時３０分」が、含まれるか否かを判断する。ここでは、地点時間情報が示す時間内に到着予測時刻が含まれると判断される。また、この地点時間情報は、地点を利用可能な時間を示す情報であるため、利用情報取得部２０６は、地点関連情報に含まれる地点情報が示す地点が、到着予測時刻が示す時刻に利用可能であると判断する。このため、利用情報取得部２０６は、地点関連情報に含まれる地点情報「ＡＢＣレストラン」と、この地点が利用可能であることを示す情報、例えば、「利用可能」等の利用可否情報とを有する利用情報、例えば「ＡＢＣレストラン：利用可能」を取得する。
【０１５７】
サーバ送信部２０９は、利用情報取得部２０６が取得した利用情報を、目的地指定情報の送信元である情報処理端末１０ａに送信する。例えば、目的地指定情報とともに送信された情報処理端末１０ａのＩＰアドレス等を利用して、情報処理端末１０ａに利用情報を送信する。
【０１５８】
情報処理端末１０ａの受信部１０３は、サーバ装置２０から送信される利用情報を受け付ける。そして、出力部１０４は、受信した利用情報を図示しないモニタ等に表示する。例えば、利用情報が示す文字列「ＡＢＣレストラン：利用可能」を、予め指定されたテンプレート等に配置して図示しないモニタ等に表示する。また、情報処理端末１０ａが表示する地図において「ＡＢＣレストラン」に対応する位置を検索し、検出した位置に利用可能であることを示すアイコンやマーク、ダイアログ等を表示してもよい。
【０１５９】
図６は、利用情報の表示例を示す図である。ここでは、地図上の「ＡＢＣレストラン」に対応する位置に、利用情報が示す文字列を配置したダイアログを表示した例を示している。
【０１６０】
これにより、ユーザは、目的地指定情報により指定した目的地が、到着予測時刻に利用可能であることを知ることができる。
【０１６１】
なお、上記で地点時間情報取得部２０４が取得した地点関連情報に含まれる地点時間情報「１１：００〜１４：００，１７：００〜２０：００」が示す時間内に、時刻情報取得部２０５が取得した地点時間情報が示す時刻が含まれないと判断した場合、利用情報取得部２０６は、地点関連情報に含まれる地点情報「ＡＢＣレストラン」と、この地点が利用不可であることを示す利用可否情報、例えば、「利用不可（利用時間外）」等の利用可否情報とを有する利用情報、例えば「ＡＢＣレストラン：利用不可（利用時間外）」を取得することになる。
【０１６２】
この結果、情報処理端末１０ａには、「ＡＢＣレストラン」が利用不可であることを示す利用情報が出力されることとなり、ユーザは、目的地指定情報により指定した目的地が、到着予測時刻に利用不可であることを知ることができる。
【０１６３】
サーバ装置２０の端末特定情報蓄積部２０８は、利用情報取得部２０６が取得した利用情報に含まれる地点情報「ＡＢＣレストラン」と、サーバ受信部２０１が受信した目的地指定情報の送信元である情報処理端末１０ａのＩＰアドレス「１２３．４５６．ｘｘｘ．ｘｘｘ」と、時刻情報取得部２０５が取得した到着予測時刻「１７時３０分」を有する端末特定情報を取得して、端末特定情報格納部２０７に蓄積する。
【０１６４】
図７は、端末特定情報格納部２０７に格納されている端末特定情報を管理する端末特定情報管理表を示す図である。端末特定情報管理表は、「名称」と「端末アドレス」と「到着予測時刻」という属性を有している。「名称」は、地点情報であり、ここでは、地点の名称である。「端末アドレス」は、情報処理端末１０を示す情報であり、ここでは、情報処理端末１０のＩＰアドレスである。「到着予測時刻」は到着予測時刻である。
【０１６５】
ここで、ＡＢＣレストランの店員が、ＡＢＣレストランの空席状況をみて、空席が多いと判断したとする。そして、ＡＢＣレストランで管理されている情報入力装置３０に、地点の名称、ここでは、店舗の名称である「ＡＢＣレストラン」と、「空席有り」という文字列で構成される動的情報とを入力したとする。
【０１６６】
情報入力装置３０は、入力された地点の名称「ＡＢＣレストラン」と、動的情報「空席有り」とを受け付け、地点動的情報送信部３０２は、この地点の名称である地点情報「ＡＢＣレストラン」と、動的情報「空席有り」とを有する地点動的情報をサーバ装置２０に送信する。
【０１６７】
サーバ装置２０のサーバ動的受信部２１０は、情報入力装置３０から送信される地点情報「ＡＢＣレストラン」と、動的情報「空席有り」とを有する地点動的情報を受信する。
【０１６８】
サーバ動的送信部２１１は、サーバ動的受信部２１０が受信した地点動的情報から地点情報「ＡＢＣレストラン」を取得し、図７に示した端末特定情報管理表において、「名称」の属性値が「ＡＢＣレストラン」と一致するレコードを検索し、検出したレコードの「端末アドレス」の属性値を取得する。例えば、ここでは、「端末アドレス」の属性値として、情報処理端末１０ａのＩＰアドレスである「１２３．４５６．ｘｘｘ．ｘｘｘ」だけが取得されたとする。
【０１６９】
サーバ動的送信部２１１は、取得した「端末アドレス」の属性値が示す情報処理端末１０、ここでは、情報処理端末１０ａに、サーバ動的受信部２１０が受信した地点動的情報を送信する。これにより、地点動的情報が有する地点情報が示す地点についての利用情報を送信した情報処理端末１０に、選択的にこの地点動的情報を送信することができ、各情報処理端末に有用な地点動的情報だけを選択的に送信することができる。
【０１７０】
情報処理端末１０ａの動的受信部１０５は、サーバ動的送信部２１１が送信した地点動的情報を受信し、動的出力部１０６は、受信した地点動的情報を、上述した利用情報と同様に、図示しないモニタ等に表示する。
【０１７１】
図８は、地点動的情報の表示例を示す図である。
【０１７２】
また、例えば、情報処理端末１０ａのユーザが、到着予測時刻「１７時３０分」の前後に、目的地であるＡＢＣレストランに到着後、飲食を行い、「１８時３０分」に他の目的地に出発したとする。このユーザが出発した直後に、ＡＢＣレストランの店員が、店内に、眼鏡の忘れ物を発見したとする。このため、この店員が、ＡＢＣレストランで管理されている情報入力装置３０に、地点の名称、ここでは、店舗の名称である「ＡＢＣレストラン」と、「＜落とし物＞眼鏡の落とし物がありました。」という文字列で構成される動的情報とを入力したとする。この「＜落とし物＞」という文字列は、遺失物を示す動的情報を特定するための情報であるとする。
【０１７３】
情報入力装置３０は、入力された地点の名称「ＡＢＣレストラン」と、動的情報「＜落とし物＞眼鏡の落とし物がありました。」とを受け付け、地点動的情報送信部３０２は、この地点の名称である地点情報「ＡＢＣレストラン」と、動的情報「＜落とし物＞眼鏡の落とし物がありました。」とを有する地点動的情報をサーバ装置２０に送信する。
【０１７４】
サーバ装置２０のサーバ動的受信部２１０は、情報入力装置３０から送信される地点情報「ＡＢＣレストラン」と、動的情報「＜落とし物＞眼鏡の落とし物がありました。」とを有する地点動的情報を受信する。
【０１７５】
サーバ動的送信部２１１は、サーバ動的受信部２１０が受信した地点動的情報から地点情報「ＡＢＣレストラン」を取得し、図７に示した端末特定情報管理表において、「名称」の属性値が「ＡＢＣレストラン」と一致するレコードを検索し、検出したレコードの「端末アドレス」の属性値を取得する。例えば、ここでは、「端末アドレス」の属性値として、情報処理端末１０ａのＩＰアドレスである「１２３．４５６．ｘｘｘ．ｘｘｘ」だけが取得されたとする。
【０１７６】
ここで、動的情報に「＜落とし物＞」という遺失物があったことを示す文字列が含まれる場合、上記で検出したレコードの「到着予測時刻」が示す時刻に予め指定された時間を加算した時刻を加算した時刻を、終了時刻として取得して、この終了時刻に現在の時刻が含まれているか否かを判断する処理を行うことが、サーバ動的送信部２１１の処理として予め設定されているものとする。
【０１７７】
サーバ動的送信部２１１は、上記で受信した動的情報に、上述した「＜落とし物＞」という、遺失物があったことを示す文字列を検出する処理を行う。ここでは、上記で受信した動的情報には「＜落とし物＞」という文字列が含まれるため、サーバ動的送信部２１１は、この文字列を検出することとなる。この「＜落とし物＞」という文字列を検出したため、サーバ動的送信部２１１は、上記で検出したレコードの「到着予測時刻」である「１７：３０」を取得して、この時刻に予め指定された時間を加算した時刻、例えば、１時間３０分を加算した時刻「１９：００」である終了時刻を取得し、「到着予測時刻」である「１７：３０」から、ここで取得した終了時刻「１９：００」までの時間に、現在の時刻が含まれるか否かを判断する。現在の時刻は、例えば、時刻情報取得部２０５を用いて取得する。そして、この時間内に現在の時刻が含まれている場合、サーバ動的受信部２１０が受信した地点動的情報を、サーバ動的送信部２１１が上記で取得したＩＰアドレスが示す情報処理端末１０ａに送信する。また、現在の時刻がこの時間内に含まれない場合、地点動的情報を情報処理端末１０ａには送信しない。
【０１７８】
情報処理端末１０ａの動的受信部１０５は、サーバ動的送信部２１１が送信した地点動的情報を受信し、動的出力部１０６は、受信した地点動的情報を、上述した利用情報と同様に、図示しないモニタ等に表示する。例えば、図８に示した表示例において、「空席有り」という文字列を「＜落とし物＞眼鏡の落とし物がありました。」という文字列に置き換えたような表示が行われる。
【０１７９】
これにより、直前に地点を訪問したユーザだけに選択的に遺失物があったことを示す動的情報を通知することが可能となる。
【０１８０】
なお、上記具体例においては、地点時間情報取得部２０４が、目的地指定情報が示す目的地の地点情報を有する地点関連情報を取得するようにした例を示したが、地点時間情報取得部２０４は、目的地指定情報が示す目的地の周辺の地点、例えば、目的地から予め指定された距離以内に位置する地点を示す地点情報を有する地点関連情報や、経路情報取得部が取得した経路情報が示す経路に対する距離が予め指定された距離以下である地点を示す地点情報を有する地点関連情報を取得するようにしても良い。これにより、目的地の利用情報が、目的地が利用できないことを示す情報であったとしても、他の選択肢をユーザに示すことが可能となる。
【０１８１】
以上、本実施の形態によれば、目的地指定情報が指定する目的地に関連する地点に対応づけられた地点時間情報を用いて、目的地に関連する地点が利用可能であるか否かを示す利用情報を取得して出力することができ、目的地に関連する地点が利用可能であるか否かを容易に確認することが可能となる。
【０１８２】
また、目的地に関連する地点に関連した動的情報を有する地点動的情報を、情報処置端末が受信して出力することができ、目的地に関連した地点において動的に得られる情報を出力して、例えば、この地点の現在の状況を適切に把握することが可能となる。
【０１８３】
（実施の形態２）
上記実施の形態に示した情報処理システムにおいては、端末特定情報を用いて、地点動的情報の送信先となる情報処理端末を特定する例について説明したが、本実施の形態においては、一の情報処理端末が、利用情報に含まれる地点情報に対応する地点動的情報の送信をサーバ装置に要求した場合に、サーバ装置が、この地点情報に対応した地点動的情報を要求元である一の情報処理端末に対して送信するようにした情報処理システムについて説明する。
【０１８４】
図９は、本実施の形態における情報処理システム２のブロック図である。なお、図９において、図１と同一符号は同一または相当する部分を示しており、ここでは詳細な説明は省略する。
【０１８５】
情報処理システム２は、１または２以上の情報処理端末１１、サーバ装置２１、及び１または２以上の情報入力装置３０を備える。ここでは、説明の便宜上、情報処理端末１１及び情報入力装置３０がそれぞれ一つである場合の例を示している。
【０１８６】
情報処理端末１１は、目的地指定情報受付部１００、現在位置取得部１０１、送信部１０２、受信部１０３、出力部１０４、動的受信部１０５、動的出力部１０６、要求送信部１０７を備える。
【０１８７】
サーバ装置２１は、サーバ受信部２０１、経路情報取得部２０２、地点関連情報格納部２０３、地点時間情報取得部２０４、時刻情報取得部２０５、利用情報取得部２０６、サーバ送信部２０９、サーバ動的受信部２１０、要求受信部２１２、及びサーバ動的送信部２１３を備える。
【０１８８】
要求送信部１０７は、地点動的情報の送信を要求する情報（以下、送信要求情報）をサーバ装置２１に送信する。例えば、要求送信部１０７は、送信部１０２が送信した目的地指定情報に対応する地点から送信された地点動的情報の送信を要求する情報をサーバ装置２１に送信する。例えば、要求送信部１０７は、受信部１０３が受信した利用情報に対応する地点情報に対応する地点動的情報の送信を要求する送信要求情報をサーバ装置２１に送信する。利用情報に対応する地点情報とは、例えば、利用情報が地点情報を含むものである場合、利用情報に含まれる地点情報である。地点情報に対応する地点動的情報とは、地点情報と同じ地点情報を有する地点動的情報である。例えば、要求送信部１０７は、受信部１０３が受信した利用情報に含まれる地点情報を有する送信要求情報をサーバ装置２１に送信する。送信要求情報は、例えば、上述した実施の形態において説明したような、情報処理端末１１を示す情報を有する情報である。なお、上記のような地点情報を有する送信要求情報を送信するために、例えば、受信部１０３は、受信した利用情報、あるいはこの利用情報に含まれる地点情報を、図示しない格納部等に蓄積し、要求送信部１０７が、適宜、地点情報を読み出せるようにすることが好ましい。
【０１８９】
要求送信部１０７は、例えば、ユーザから図示しない受付部等を介して受け付けた送信要求情報を送信する指示に応じて送信要求情報を送信するようにしてもよい。例えば、要求送信部１０７は、利用情報に含まれる地点情報のうちの、ユーザが指定した地点情報に対応する地点動的情報の送信を要求する送信要求情報をサーバ装置２１に送信する。
【０１９０】
また、例えば、要求送信部１０７は、情報処理端末１１に対して予め指定された操作を行った場合に、受信部１０３が受信した利用情報に含まれる地点情報に対応する地点動的情報の送信を要求する送信要求情報をサーバ装置２１に送信するようにしてもよい。予め指定された操作は、例えば、情報処理端末１１に対して目的地を設定する操作や、情報処理端末１１を起動する操作等である。情報処理端末１１が車載用のナビゲーション装置である場合、情報処理端末１１を起動する操作は、例えば、情報処理端末１１を搭載した自動車のエンジンやかける操作や、自動車の電源をオンする操作である。また、目的地を設定する操作は、例えば、目的地指定情報を入力する操作であっても良い。
【０１９１】
要求送信部１０７は、通常、無線または有線の通信手段で実現される。要求送信部１０７は、通信デバイスを含むと考えても、含まないと考えても良い。
【０１９２】
要求受信部２１２は、情報処理端末１１から送信要求情報を受信する。要求受信部２１２は、通常、無線または有線の通信手段で実現される。要求受信部２１２は、通信デバイスを含むと考えても、含まないと考えても良い。
【０１９３】
サーバ動的送信部２１１は、サーバ動的受信部２１０が受信した地点動的情報を、地点動的情報と同じ地点情報を有する利用情報を送信した情報処理端末１１に送信する。サーバ動的送信部２１１は、例えば、情報処理端末１１の受信部１０３が受信した利用情報に含まれる地点情報に対応する地点動的情報の送信を要求する情報である送信要求情報が要求する地点動的情報を送信する。送信要求情報が要求する地点動的情報とは、具体的には、サーバ動的送信部２１１は、送信要求情報が有する地点情報と一致する地点情報を有する地点動的情報を、送信要求情報を送信した情報処理端末１１に送信する。例えば、サーバ動的受信部２１０が受信した地点動的情報を図示しない格納部等に格納しておくようにし、サーバ動的受信部２１０が地点動的情報を受信した場合に、サーバ動的送信部２１１は、この地点動的情報から、１または２以上の地点情報を取得し、各地点情報と一致する地点動的情報を上記の図示しない格納部に格納されている地点動的情報から検索し、検出した地点動的情報を、送信要求情報を送信した情報処理端末１１に送信する。
【０１９４】
なお、これ以外のサーバ動的送信部２１１の構成や処理としては、実施の形態１のサーバ動的送信部２１１の構成や処理等を適宜適用することが可能である。
【０１９５】
次に、本実施の形態の情報処理端末１１の動作の一例について説明する。
【０１９６】
情報処理端末１１は、上記実施の形態と同様に、図２のステップＳ１０１からステップＳ１０７までの処理と同様の処理を行う。さらに、ステップＳ１０６の処理において、地点動的情報を受信していないと判断した場合、要求送信部１０７は、送信要求情報を送信するか否かを判断する。例えば、情報処理端末１１に対して上述したような予め指定された操作が行われたか否かを判断し、操作が行われた場合に、送信要求情報を送信すると判断する。あるいは、ユーザから送信要求情報を送信する指示を受け付けたか否かを判断し、受け付けた場合、送信要求情報を送信すると判断する。
【０１９７】
送信要求情報を送信すると判断した場合、要求送信部１０７は、地点情報を有する送信要求情報をサーバ装置２１に送信する。地点情報を有する送信要求情報は、地点情報のみ、あるいは地点情報と情報処理端末１１を示す情報とで構成される情報であっても良いし、送信要求情報に、地点動的情報の送信を要求する命令等を含む情報であってもよい。そして、ステップＳ１０１に戻るようにする。
【０１９８】
また、送信要求情報を送信しないと判断した場合、ステップＳ１０１に戻るようにする。
【０１９９】
次に、サーバ装置２１の動作の一例について説明する。
【０２００】
サーバ装置２１は、上記実施の形態と同様に、図３のステップＳ２０１からステップＳ２０９までの処理を行う。そして、ステップＳ２０９で地点動的情報を受信した場合、ステップＳ２１０及びステップＳ２１１の代わりに、受信した地点動的情報を、図示しない格納部等に蓄積し、ステップＳ２０１に戻る。
【０２０１】
また、ステップＳ２０９で地点動的情報を受信していないと判断した場合、要求受信部２１２は、情報処理端末１１から送信要求情報を受信したか否かを判断する。
【０２０２】
そして、送信要求情報を受信したと判断した場合、要求受信部２１２は、サーバ動的送信部２１３は、上記で格納した地点動的情報から、送信要求情報が有する地点情報と一致する地点情報を有する地点動的情報を検索し、検出した地点動的情報を、送信要求情報の送信元となる情報処理端末１１に送信する。そして、ステップＳ２０１に戻る。検出できない場合も、送信せずにステップＳ２０１に戻る。
【０２０３】
また、送信要求情報を受信していないと判断した場合、ステップＳ２０１に戻る。
【０２０４】
以下、本実施の形態の具体例について、上記実施の形態の具体例を利用して説明する。ここでは、利用情報が地点情報を有する場合を例に挙げて説明する。
【０２０５】
情報処理端末１１が利用情報を受信して出力するまでの処理については、上記実施の形態の具体例と同様である。
【０２０６】
受信部１０３は、受信した利用情報の地点情報、例えば、図６において表示した利用情報の地点情報である「ＡＢＣレストラン」を、図示しない格納部に蓄積する。
【０２０７】
また、上記具体例と同様に、ＡＢＣレストランの情報入力装置３０から、「ＡＢＣレストラン：空席有り」という地点動的情報がサーバ装置２１に送信され、サーバ装置２１は、受信したこの地点動的情報を、図示しない格納部に蓄積したとする。
【０２０８】
次に、情報処理端末１１を利用するユーザが、目的地を設定する操作を、情報処理端末１１に対して行ったとする。この目的地を設定する操作が、送信要求情報の送信を判断するための操作に予め指定されていたとすると、要求送信部１０７は、送信要求情報を送信するタイミングであると判断する。そして、要求送信部１０７は、上記で図示しない格納部に蓄積した利用情報に含まれる地点情報である「ＡＢＣレストラン」を読出し、この地点情報を有する送信要求情報をサーバ装置２１に送信する。
【０２０９】
要求受信部２１２が送信要求情報を受信すると、サーバ装置２１のサーバ動的送信部２１３は、送信要求情報に含まれる地点情報である「ＡＢＣレストラン」を取得し、図示しない格納部に蓄積した地点動的情報から、この地点情報「ＡＢＣレストラン」を有する地点動的情報を検索し、検出した地点動的情報である「ＡＢＣレストラン：空席有り」を、送信要求情報の送信元となる情報処理端末１１に送信する。
【０２１０】
情報処理端末１１の動的受信部１０５が地点動的情報を受信すると、動的出力部１０６は、図８と同様に地点動的情報を出力、例えば表示する。
【０２１１】
以上、本実施の形態によれば、情報処理端末１１が送信する送信要求情報に応じて地点動的情報をサーバ装置２１から受信して出力することができるため、例えば、情報処理端末１１側にとって好ましいタイミングで、地点動的情報を出力することができる。
【０２１２】
（実施の形態３）
本実施の形態に係る情報処理システムは、上記実施の形態２の情報処理システムの情報処理端末とサーバ装置とに相当する構成を、一の情報処理端末で実現するようにしたものである。
【０２１３】
図１０は、本実施の形態における情報処理システム３のブロック図である。
【０２１４】
情報処理システム３は、１または２以上の情報処理端末１２と、１または２以上の情報入力装置３２を備える。ここでは、説明の便宜上、情報処理端末１２及び情報入力装置３２がそれぞれ一つである場合の例を示している。なお、図において、図１と同一符号は同一または相当する部分を示している。
【０２１５】
情報処理端末１２は、目的地指定情報受付部１００、現在位置取得部１０１、経路情報取得部１２２、地点関連情報格納部２０３、地点時間情報取得部１２４、時刻情報取得部１２５、利用情報取得部１２６、出力部１２７、動的受信部１２８、動的出力部１２９、地点送信先情報格納部１３０及び要求送信部１３１を備える。
【０２１６】
情報入力装置３２は、要求受信部３２０、地点動的情報受付部３０１、及び地点動的情報送信部３２２を備える。
【０２１７】
経路情報取得部１２２は、情報処理端末１２の現在位置から、目的地指定情報受付部１００が受け付けた目的地指定情報が示す目的地までの経路を示す情報である経路情報を取得する。例えば、、経路情報取得部１２２は、現在位置取得部１０１が取得した現在地情報が示す現在地から、目的地指定情報が示す目的地までの経路情報を取得する。また、経路情報取得部１２２は、例えば、予測移動時間を取得する。経路情報を取得する処理等に関しては、上記実施の形態の経路情報取得部２０２と同様であるため、ここでは詳細な説明は省略する。なお、経路情報を種得するために必要な道路情報等が格納された格納部等を、上述したサーバ装置２０等と同様に、情報入力装置３２が備えていても良いことはいうまでもない。
【０２１８】
地点時間情報取得部１２４は、目的地指定情報受付部１００が受け付けた目的地指定情報に対応する目的地に関連する地点情報を有する１または２以上の地点関連情報が有する地点時間情報を、地点関連情報格納部２０３から取得する。なお、この地点時間情報取得部１２４が地点時間情報を取得する処理等は、目的地指定情報受付部１００が受け付けた目的地指定情報や、経路情報取得部１２２が取得した経路情報等を用いる点を除けば、上記実施の形態の地点時間情報取得部２０４と同様であり、ここでは詳細な説明は省略する。
【０２１９】
時刻情報取得部１２５は、時刻情報を取得する。なお、時刻情報取得部１２５が時刻情報を取得する処理や構成等は、経路情報取得部１２２が取得した予測移動時間を用いる点等を除けば、上記実施の形態の時刻情報取得部２０５と同様であり、ここでは詳細な説明は省略する。
【０２２０】
利用情報取得部１２６は、時刻情報取得部１２５が取得した時刻情報と、地点時間情報取得部１２４が取得した１または２以上の地点時間情報とを用いて、この地点時間情報に対応する地点情報が示す地点が利用可能であるか否かを判断して、各地点についての利用情報を取得する。利用情報取得部１２６が、時刻情報と、地点関連情報が有する地点時間情報を用いて利用情報を取得する処理や構成等は、上記実施の形態の利用情報取得部１２６と同様であり、ここでは詳細な説明は省略する。
【０２２１】
出力部１２７は、利用情報取得部１２６が取得した利用情報を出力する。出力部１２７が利用情報を出力する処理や構成については、出力部１０４と同様であり、ここでは詳細な説明は省略する。
【０２２２】
動的受信部１２８は、情報入力装置３２から地点動的情報を受信する。例えば、動的受信部１２８は、後述する要求送信部１３１が送信する地点送信要求情報に応じて情報入力装置３２が送信する地点動的情報を受信する。動的受信部１０５は、通常、無線または有線の通信手段で実現されるが、放送を受信する手段で実現されても良い。動的受信部１０５は、通信デバイスを含むと考えても、含まないと考えても良い。
【０２２３】
動的出力部１２９は、動的受信部１２８が受信した地点動的情報を出力する。動的出力部１２９が地点動的情報を出力する処理や構成等は、上記実施の形態の動的出力部１０６と同様であり、ここでは詳細な説明は省略する。
【０２２４】
地点送信先情報格納部１３０には、１または２以上の地点送信先情報が格納される。地点送信先情報は、地点情報と、地点情報に対応する情報入力装置３２に対して情報を送信するための送信先を指定する情報（以下、送信先指定情報）とを有する情報である。送信先指定情報は、例えば、情報入力装置３２のＩＰアドレスや、メールアドレス等のアドレス情報である。地点送信先情報格納部１３０には、例えば、地点関連情報格納部２０３に格納されている地点情報を有する１または２以上の地点送信先情報が格納される。
【０２２５】
要求送信部１３１は、地点動的情報の送信を要求する情報である地点送信要求情報を情報入力装置３２に送信する。
要求送信部１３１は、例えば、目的地指定情報受付部１００が受け付けた目的地指定情報が示す地点に対応する情報入力装置３２に、地点動的情報の送信を要求する地点送信要求情報を送信する。例えば、要求送信部１０７は、受信部１０３が受信した利用情報に含まれる地点情報に対応する地点動的情報の送信を要求する地点送信要求情報を、この地点情報に対応する情報入力装置３２に送信する。地点情報に対応する地点動的情報とは、例えば、地点情報と一致する地点情報を有する地点動的情報である。地点情報に対応する情報入力装置３２は、例えば、地点情報が示す地点に対応する情報入力装置３２である。
【０２２６】
例えば、要求送信部１３１は、利用情報取得部１２６が取得した利用情報に含まれていた地点情報と一致する地点情報を有する地点送信先情報を、地点送信先情報格納部１３０から検索により検出し、検出した地点送信先情報の送信先情報を取得し、この送信先情報が示す情報入力装置３２に、地点送信要求情報を送信する。要求送信部１３１は、利用情報取得部１２６が取得した全ての利用情報が有する地点情報について送信先情報を取得しても良いし、一部の利用情報が有する地点情報について送信先情報を取得しても良い。例えば、利用情報取得部１２６が取得した利用情報または利用情報が有する地点情報のうちの、ユーザが指定した利用情報または地点情報について送信先情報を取得しても良い。
【０２２７】
なお、ここでの地点送信要求情報は、上述した実施の形態２の送信要求情報とは異なり、地点情報を有していなくても良い。例えば、地点送信要求情報は、地点動的情報を送信する命令を有する情報や、地点動的情報の送信先となる情報処理端末１２、即ち地点送信要求情報を送信する情報処理端末１２を示す情報、例えば、情報処理端末１２のアドレス情報等であっても良い。
【０２２８】
なお、上記のように送信要求情報を送信するために、例えば、利用情報取得部１２６はは、取得した利用情報、あるいはこの利用情報に含まれる地点情報を、図示しない格納部等に蓄積し、要求送信部１３１が、適宜、地点情報を読み出せるようにすることが好ましい。
【０２２９】
要求送信部１３１は、例えば、ユーザから図示しない受付部等を介して受け付けた地点送信要求情報を送信する指示に応じて地点送信要求情報を送信する。例えば、要求送信部１０７は、利用情報に含まれる地点情報のうちの、ユーザが指定した地点情報に対応する情報入力装置３２に、地点動的情報の送信を要求する地点送信要求情報を送信する。
【０２３０】
また、例えば、要求送信部１３１は、情報処理端末１２に対して予め指定された操作を行った場合に、受信部１０３が受信した利用情報に含まれる地点情報に対応する情報入力装置３２に、地点動的情報の送信を要求する地点送信要求情報を送信するようにしてもよい。予め指定された操作は、例えば、上記実施の形態において説明した情報処理端末１２に対する予め指定された操作と同様の操作である。なお、要求送信部１３１は、上述したサーバ動的送信部２１１のように、到着予測時刻に対して予め指定された関係にある時間内にだけ、地点送信要求情報を送信するようにしてもよい。
【０２３１】
要求送信部１０７は、通常、無線または有線の通信手段で実現される。要求送信部１０７は、通信デバイスを含むと考えても、含まないと考えても良い。
【０２３２】
要求受信部３２０は、情報処理端末１２から地点送信要求情報を受信する。要求受信部３２０は、通常、無線または有線の通信手段で実現されるが、放送を受信する手段で実現されても良い。要求受信部３２０は、通信デバイスを含むと考えても、含まないと考えても良い。
【０２３３】
地点動的情報送信部３２２は、地点動的情報受付部３０１が受け付けた地点動的情報を、地点送信要求情報の送信元である情報処理端末１２に送信する。
【０２３４】
例えば、要求受信部３２０が、地点送信要求情報の送信元の情報処理端末１２を示す情報を、図示しない格納部等に蓄積しておくようにし、地点動的情報受付部３０１が地点動的情報を受け付けた場合に、地点動的情報送信部３２２が、この地点動的情報を、図示しない格納部に格納されている情報処理端末１２を示す情報が示す情報処理端末１２に送信するようにしてもよい。
【０２３５】
また、地点動的情報受付部３０１が受け付けた地点動的情報を、図示しない格納部に蓄積しておくようにし、要求受信部３２０が地点送信要求情報を受信した場合に、この地点送信要求情報の送信元である情報処理端末１２に、格納されている地点動的情報を送信するようにしてもよい。
【０２３６】
地点動的情報送信部３０２は、通常、無線または有線の通信手段で実現されるが、放送手段で実現されても良い。地点動的情報送信部３０２は、通信デバイスを含むと考えても、含まないと考えても良い。
【０２３７】
次に、本実施の形態の情報処理端末１２の動作の一例について説明する。
【０２３８】
情報処理端末１２は、上記実施の形態と同様に、図２のステップＳ１０１からステップＳ１０２までの処理と同様の処理を行う。さらに、図３のステップＳ２０２からステップＳ２０６の処理を行う。その後、ステップＳ２０６において取得した利用情報を、出力部１０４が出力する。
【０２３９】
また、ステップＳ１０１の処理において、目的地指定情報を受け付けていない場合、情報処理端末１２は、ステップＳ１０６からステップＳ１０７の処理を行う。
【０２４０】
また、ステップＳ１０６において地点動的情報を受信していない場合、要求送信部１３１は、地点送信要求情報を送信するか否かを判断する。例えば、情報処理端末１２に対して上述したような予め指定された操作が行われたか否かを判断し、操作が行われた場合に、地点送信要求情報を送信すると判断する。あるいは、ユーザから地点送信要求情報を送信する指示を受け付けたか否かを判断し、受け付けた場合、地点送信要求情報を送信すると判断する。
【０２４１】
地点送信要求情報を送信すると判断した場合、要求送信部１３１は、地点送信要求情報を情報入力装置３２に送信する。そして、ステップＳ１０１に戻るようにする。
【０２４２】
次に、本実施の形態の情報入力装置３２の動作の一例について説明する。
【０２４３】
要求受信部３２０は、情報処理端末１２から地点送信要求情報を受信したか否かを判断し、受信した場合、地点送信要求情報の送信元の情報処理端末１２を示す情報、例えばアドレス情報等を、図示しない格納部に蓄積する。また、地点動的情報受付部３０１は、地点動的情報を受け付けたか否かを判断し、受け付けた場合、地点動的情報送信部３２２は、上記で蓄積したアドレス情報等の情報から、地点送信要求情報の送信元の情報処理端末１２を示す情報を取得し、受け付けた地点動的情報を送信する。なお、地点送信要求情報の送信元の情報処理端末１２を示す情報は、予め指定された時間が経過後には、削除するようにしてもよい。
【０２４４】
次に、本実施の形態の情報処理システム３の具体例について説明する。
【０２４５】
上述した実施の形態１の具体例と同様に、情報処理端末１２の目的地指定情報受付部１００は、目的地指定情報を受け付け、現在位置取得部１０１は、現在地情報を取得する。
【０２４６】
次に、経路情報取得部１２２は、サーバ装置２０の経路情報取得部２０２と同様に現在地から目的地までの経路情報を種得し、予測移動時間を取得する。
【０２４７】
地点時間情報取得部１２４は、地点時間情報取得部２０４と同様に、目的地指定情報等を用いて、図５に示すような地点関連情報管理表から地点関連情報を取得する。
【０２４８】
また、時刻情報取得部１２５は、到着予測時刻である地点時間情報を取得する。
【０２４９】
そして、利用情報取得部１２６は、取得した地点関連情報と地点時間情報とを用いて、利用情報を取得する。利用情報取得部１２６は、取得した利用情報に含まれる地点情報、ここでは、例えば、「ＡＢＣレストラン」を、図示しない格納部に蓄積する。
【０２５０】
出力部１２７は、利用情報取得部１２６が利用情報を出力する。例えば、出力部１２７は、図６に示すように利用情報を表示する。
【０２５１】
図１１は、地点送信先情報格納部１３０に格納されている地点送信先情報を管理する地点送信先情報管理表である。地点送信先情報管理表は、「地点」と、「送信先」という項目を有している。「地点」は地点情報であり、ここでは、例えば、地点の名称であるとする。「送信先」は送信先情報であり、ここでは、例えば、情報入力装置３２のＩＰアドレスであるとする。
【０２５２】
ここで、情報処理端末１２を利用するユーザが、目的地を設定する操作を、情報処理端末１２に対して行ったとする。この目的地を設定する操作が、地点送信要求情報の送信を判断するための操作に予め指定されていたとすると、要求送信部１３１は、地点送信要求情報を送信するタイミングであると判断する。そして、要求送信部１０７は、上記で図示しない格納部に蓄積した利用情報に含まれる地点情報である「ＡＢＣレストラン」を読み出す。そして、要求送信部１０７は、図１１に示した地点送信先情報管理表において、「地点」の属性値が、上記で読み出した地点情報「ＡＢＣレストラン」と一致するレコード（行）を検索し、検出したレコードの「送信先」の属性値である「１５２．１３２．ｘｘｘ．ｘｘｘ」を送信先情報として取得する。そして、要求送信部１０７は、この送信先情報が示す送信先である情報入力装置３２に地点送信要求情報を送信する。
【０２５３】
地点送信要求情報を受信した地点情報「ＡＢＣレストラン」に対応した情報入力装置３２は、地点送信要求情報を送信した情報処理端末１２を示す情報、ここでは、情報処理端末１２のＩＰアドレスを図示しない格納部に蓄積する。
【０２５４】
そして、例えば、上記具体例と同様に、ＡＢＣレストランの情報入力装置３２の地点動的情報受付部３０１が「ＡＢＣレストラン：空席有り」という地点動的情報を受け付けたとすると、地点動的情報送信部３２２は、図示しない格納部に格納されている地点送信要求情報を送信した１または２以上の情報処理端末１２をそれぞれ示す情報であるＩＰアドレスを読出し、読み出したＩＰアドレスが示す情報処理端末１２に、上記の地点動的情報を送信する。
【０２５５】
情報処理端末１２の動的受信部１２８が、情報入力装置３２から地点動的情報を受信すると、動的出力部１２９は、受信した地点動的情報を、図８と同様にモニタ等に表示する。
【０２５６】
以上、本実施の形態によれば、情報処理端末１２単体で、利用情報を取得して出力することができ、目的地に関連する地点が利用可能であるか否かを容易に確認することが可能となる。また、例えば、ネットワーク等が利用できない状況下においても、目的地に関連する地点が利用可能であるか否かを容易に確認することが可能となる。
【０２５７】
なお、上記各実施の形態において、各処理（各機能）は、単一の装置（システム）によって集中処理されることによって実現されてもよく、あるいは、複数の装置によって分散処理されることによって実現されてもよい。
【０２５８】
また、上記各実施の形態において、一の装置に存在する２以上の通信手段（送信部や受信部など）は、物理的に一の媒体で実現されても良いことは言うまでもない。
【０２５９】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０２６０】
なお、上記各実施の形態における情報処理システムを実現するソフトウェアは、以下のようなプログラムである。つまり、このプログラムは、地点を示す情報である地点情報と、地点情報が示す情報が示す地点についての時間に関する情報である地点時間情報とを有する１以上の地点関連情報が格納される地点関連情報格納部にアクセス可能なコンピュータを、情報処理端末から目的地を指定する情報である目的地指定情報を受信するサーバ受信部と、サーバ受信部が受信した目的地指定情報に対応する目的地に関連する地点情報を有する地点関連情報が有する地点時間情報を、地点関連情報格納部から取得する地点時間情報取得部と、時刻を示す情報である時刻情報を取得する時刻情報取得部と、時刻情報取得部が取得した時刻情報と、地点時間情報取得部が取得した地点時間情報とを用いて、地点時間情報に対応する地点情報が示す地点が利用可能であるか否かを判断して、地点についての利用可能であるか否かに関する情報である利用情報を取得する利用情報取得部と、利用情報取得部が取得した利用情報を情報処理端末に送信するサーバ送信部として機能させるためのプログラムである。
【０２６１】
また、このプログラムは、地点を示す情報である地点情報と、地点情報が示す情報が示す地点についての時間に関する情報である地点時間情報とを有する１以上の地点関連情報が格納される地点関連情報格納部にアクセス可能なコンピュータを、目的地を指定する情報である目的地指定情報を受け付ける目的地指定情報受付部と、目的地指定情報受付部が受け付けた目的地指定情報に対応する目的地に関連する地点情報を有する地点関連情報が有する時点時間情報を、地点関連情報格納部から取得する地点時間情報取得部と、時刻を示す情報である時刻情報を取得する時刻情報取得部と、時刻情報取得部が取得した時刻情報と、地点時間情報取得部が取得した地点時間情報とを用いて、地点時間情報に対応する地点情報が示す地点が利用可能であるか否かを判断して、地点についての利用可能であるか否かに関する情報である利用情報を取得する利用情報取得部と、利用情報取得部が取得した利用情報を出力する出力部として機能させるためのプログラムである。
【０２６２】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０２６３】
また、このプログラムを実行するコンピュータは、単数であってもよく、複数であってもよい。すなわち、集中処理を行ってもよく、あるいは分散処理を行ってもよい。
【０２６４】
図１２は、上記プログラムを実行して、上記実施の形態による情報処理システムを実現するコンピュータの外観の一例を示す模式図である。上記実施の形態は、コンピュータハードウェア及びその上で実行されるコンピュータプログラムによって実現されうる。
【０２６５】
図１２において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０２６６】
図１３は、コンピュータシステム９００の内部構成を示す図である。図１３において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０２６７】
コンピュータシステム９００に、上記実施の形態による情報処理システム等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０２６８】
プログラムは、コンピュータ９０１に、上記実施の形態による情報処理システムの機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０２６９】
本発明は、以上の実施の形態に限定されることなく、種々の変更が可能であり、それらも本発明の範囲内に包含されるものであることは言うまでもない。
【産業上の利用可能性】
【０２７０】
以上のように、本発明にかかる情報処理システム等は、目的地に関連する情報を出力するシステム等として適しており、特に、目的地に関連した地点の利用に関する情報を出力する装置等として有用である。
【符号の説明】
【０２７１】
１、２、３  情報処理システム
１０、１１、１２  情報処理端末
２０、２１  サーバ装置
３０、３２  情報入力装置
１００  目的地指定情報受付部
１０１  現在位置取得部
１０２  送信部
１０３  受信部
１０４、１２７  出力部
１０５、１２８  動的受信部
１０６、１２９  動的出力部
１０７、１３１  要求送信部
１２２、２０２  経路情報取得部
１２４、２０４  地点時間情報取得部
１２５、２０５  時刻情報取得部
１２６、２０６  利用情報取得部
１３０  地点送信先情報格納部
２０１  サーバ受信部
２０３  地点関連情報格納部
２０７  端末特定情報格納部
２０８  端末特定情報蓄積部
２０９  サーバ送信部
２１０  サーバ動的受信部
２１１、２１３  サーバ動的送信部
２１２、３２０  要求受信部
３０１  地点動的情報受付部
３０２、３２２  地点動的情報送信部
【図１】
2015152985.tif 000003
【図２】
2015152985.tif 000004
【図３】
2015152985.tif 000005
【図４】
2015152985.tif 000006
【図５】
2015152985.tif 000007
【図６】
2015152985.tif 000008
【図７】
2015152985.tif 000009
【図８】
2015152985.tif 000010
【図９】
2015152985.tif 000011
【図１０】
2015152985.tif 000012
【図１１】
2015152985.tif 000013
【図１２】
2015152985.tif 000014
【図１３】
2015152985.tif 000015